(57)【特許請求の範囲】
【請求項１】
外部装置から印刷データを受信する受信手段と、
前記受信手段が受信した印刷データに基づいて記録紙上に画像を記録する画像記録手段と、
前記画像記録手段により画像が記録された記録紙を積載するための複数の積載手段と、
前記積載手段に積載される記録紙が満載となったか否かを積載手段毎に判別する判別手段と、
前記画像が記録された記録紙を前記複数の積載手段へ積載する排紙モードとして、前記印刷データに含まれる識別情報に対応する積載手段へ前記記録紙を積載可能とする第１の排紙モード及び前記複数の積載手段の全てへ前記記録紙を積載可能とする第２の排紙モードを少なくとも含む複数の排紙モードのいずれかを選択する選択手段と、
前記複数の積載手段の各積載手段を識別するための識別情報を登録する登録手段と、
前記選択手段が前記第１の排紙モードを選択した場合に、前記印刷データに含まれる識別情報と一致する識別情報が前記登録手段により登録されているか否かを判断する判断手段と、
前記選択手段が前記第１の排紙モードを選択した場合であって前記印刷データに含まれる識別情報と一致する識別情報が前記登録手段により登録されていると前記判断手段が判断した場合は、該一致した識別情報に対応する積載手段に前記印刷データに基づいて画像が記録された記録紙を積載させるよう制御し、前記選択手段が前記第２の排紙モードを選択した場合は前記印刷データに基づいて画像が記録された記録紙を前記複数の積載手段の少なくともいずれかに積載させるよう制御する制御手段と、
前記選択手段が前記第１の排紙モードを選択した場合は前記識別情報に対応する全ての積載手段が満載となったと前記判別手段が判別したことに応じて前記識別情報に対応する全ての積載手段が満載となった旨を通知し、前記選択手段が前記第２の排紙モードを選択した場合は前記複数の積載手段の全てが満載となったと前記判別手段が判別したことに応じて前記複数の積載手段の全てが満載となった旨を通知する通知手段と、
を有することを特徴とする画像記録装置。
【請求項２】
前記通知手段が前記通知をした後に、該通知に対応する積載手段に積載された用紙が除去されたと前記判別手段が判別したことに応じて、前記画像記録手段による画像の記録を再開することを特徴とする請求項１に記載の画像記録装置。
【請求項３】
印刷データを生成する生成装置と、該生成装置から受信した印刷データに基づいて画像を記録する画像記録装置とを有する画像記録システムであって、
前記生成装置は、
前記印刷データを生成する生成手段と、
前記生成手段が生成した印刷データを前記画像記録装置へ送信する送信手段とを有し、
前記画像記録装置は、
前記生成装置から印刷データを受信する受信手段と、
前記受信手段が受信した印刷データに基づいて記録紙上に画像を記録する画像記録手段と、
前記画像記録手段により画像が記録された記録紙を積載するための複数の積載手段と、
前記積載手段に積載される記録紙が満載となったか否かを積載手段毎に判別する判別手段と、
前記画像が記録された記録紙を前記複数の積載手段へ積載する排紙モードとして、前記印刷データに含まれる識別情報に対応する積載手段へ前記記録紙を積載可能とする第１の排紙モード及び前記複数の積載手段の全てへ前記記録紙を積載可能とする第２の排紙モードを少なくとも含む複数の排紙モードのいずれかを選択する選択手段と、
前記複数の積載手段の各積載手段を識別するための識別情報を登録する登録手段と、
前記選択手段が前記第１の排紙モードを選択した場合に、前記印刷データに含まれる識別情報と一致する識別情報が前記登録手段により登録されているか否かを判断する判断手段と、
前記選択手段が前記第１の排紙モードを選択した場合であって前記印刷データに含まれる識別情報と一致する識別情報が前記登録手段により登録されていると前記判断手段が判断した場合は、該一致した識別情報に対応する積載手段に前記印刷データに基づいて画像が記録された記録紙を積載させるよう制御し、前記選択手段が前記第２の排紙モードを選択した場合は前記印刷データに基づいて画像が記録された記録紙を前記複数の積載手段の少なくともいずれかに積載させるよう制御する制御手段と、
前記選択手段が前記第１の排紙モードを選択した場合は前記識別情報に対応する全ての積載手段が満載となったと前記判別手段が判別したことに応じて前記識別情報に対応する全ての積載手段が満載となった旨を通知し、前記選択手段が前記第２の排紙モードを選択した場合は前記複数の積載手段の全てが満載となったと前記判別手段が判別したことに応じて前記複数の積載手段の全てが満載となった旨を通知する通知手段と、
を有することを特徴とする画像記録システム。
【請求項４】
前記通知手段が前記通知をした後に、該通知に対応する積載手段に積載された用紙が除去されたと前記判別手段が判別したことに応じて、前記画像記録手段による画像の記録を再開することを特徴とする請求項３に記載の画像記録システム。
【請求項５】
印刷データを生成する生成工程と、
前記生成工程が生成した印刷データに基づいて記録紙上に画像を記録する画像記録工程と、
前記画像記録工程により画像が記録された記録紙を積載するための複数の積載部に積載される記録紙が満載となったか否かを積載部毎に判別する判別工程と、
前記画像が記録された記録紙を前記複数の積載部へ積載する排紙モードとして、前記印刷データに含まれる識別情報に対応する積載部へ前記記録紙を積載可能とする第１の排紙モード及び前記複数の積載部の全てへ前記記録紙を積載可能とする第２の排紙モードを少なくとも含む複数の排紙モードのいずれかを選択する選択工程と、
前記複数の積載部の各積載部を識別するための識別情報を登録する登録工程と、
前記選択工程が前記第１の排紙モードを選択した場合に、前記印刷データに含まれる識別情報と一致する識別情報が前記登録工程により登録されているか否かを判断する判断工程と、
前記選択工程が前記第１の排紙モードを選択した場合であって前記印刷データに含まれる識別情報と一致する識別情報が前記登録工程により登録されていると前記判断工程が判断した場合は、該一致した識別情報に対応する積載部に前記印刷データに基づいて画像が記録された記録紙を積載させるよう制御し、前記選択工程が前記第２の排紙モードを選択した場合は前記印刷データに基づいて画像が記録された記録紙を前記複数の積載部の少なくともいずれかに積載させるよう制御する制御工程と、
前記選択工程が前記第１の排紙モードを選択した場合は前記識別情報に対応する全ての積載部が満載となったと前記判別工程が判別したことに応じて前記識別情報に対応する全ての積載部が満載となった旨を通知し、前記選択工程が前記第２の排紙モードを選択した場合は前記複数の積載部の全てが満載となったと前記判別工程が判別したことに応じて前記複数の積載部の全てが満載となった旨を通知する通知工程と、
を有することを特徴とする画像記録方法。
【請求項６】
前記通知工程が前記通知をした後に、該通知に対応する積載部に積載された用紙が除去されたと前記判別工程が判別したことに応じて、前記印刷データに基づく画像の記録を再開する画像記録再開工程とを有することを特徴とする請求項５に記載の画像記録方法。
【発明の詳細な説明】
【０００１】
【発明の属する技術分野】
本発明は、複数の排紙モードを有する画像記録装置並びに画像記録システムおよび画像記録方法に関するものである。
【０００２】
【従来の技術】
近年、コンピュータはＬＡＮ（Ｌｏｃａｌ  Ａｒｅａ  Ｎｅｔｗｏｒｋ）によって相互に接続され、プリンタにとどまらず、コピー、ファックス機能を備えたマルチファンクション画像処理装置等の多様な周辺機器群においても、ＬＡＮ接続が可能となっている。このような環境では、あらゆるニーズを持ったユーザが画像記録装置を共有することになり、例えば画像記録装置を同じオフィスで使用する場合でも、利用人数の違い、いろいろな用紙サイズを使用するかどうか、印刷物をすぐに取りに行くことが多いかそれとも長い時間放置することが多いか等、使用環境はさまざまであり、さらにその運用方法も時と場合によって変化するために、それぞれの運用方法に対応できる機能を持った画像記録装置というものが求められている。
【０００３】
これまでの画像記録装置は、ＬＡＮ接続してネットワーク環境にて使用する場合においても、画像記録装置の排紙口は印刷を行ったユーザの排紙を一時的に保存しておく場所として利用されることがほとんどであり、例えば印刷した文書を必要なところへ配布する場合は、プリンタで印刷した印刷物をコピー機で必要部数ソートコピーし、それぞれの配布物を入れるボックスへコピーした印刷物を持っていき配布するといったことが行われていた。
【０００４】
図３５は、例えば、ある文書を”人事一課”、”人事二課”、”人事三課”、”総務一課”、”総務二課”、”総務三課”、”管理課”といった各部署に配布する場合の従来のプリンタの利用形態を説明する図である。
【０００５】
図において、プリンタは、ホストコンピュータで作成した原稿を一部出力するためにしか使用されず、必要な部数分のコピー、すなわち配布先の部署数分のコピーは、プリンタで出力された原稿を基にコピー機で必要部数分のコピーを行い、配布物用のボックスにユーザ自らの手で配布していた。
【０００６】
これらを実現するには、プリンタとコピー機との両方が必要でコストもかかるため、プリンタでソート指定を行えるようにしプリンタ自身が複数持つ排紙口を使い、ジョブ毎に排紙するビンを切り替えてソートを実現するよう改良されたものも存在する。
【０００７】
また、複数の排紙口を有するプリンタ等の画像記録装置を複数のユーザで共有利用する場合においても、例えば、１ジョブ毎に空の排紙口へ排紙を行なう１ジョブセパレートモード等の方法で仕分けを行っていた。
【０００８】
図３６は、従来の仕分け方法１ジョブセパレートを説明する概念図である。
【０００９】
この１ジョブセパレートについて、図３６で示している例は、ユーザｋａｋｋｙ→ユーザｙｕｉｃｈｉ→ユーザｊｍｏｒｉ→ユーザｓａｋａｉ→ユーザｋａｋｋｙ→ユーザｓａｋａｉ→ユーザｓａｋａｉの順でそれぞれ印刷ジョブをプリンタに送信した場合の例である。
【００１０】
この例では、ジョブのオーナは関係なくプリンタ内でジョブの切り替わりを検知して、新規ジョブが送信されてきた場合に、積載量ゼロの排紙口を検索し、そのジョブはジョブ開始時に決定した排紙口にジョブ終了まで排紙を続ける。１ジョブ単位に排紙する排紙口を変えて排出を行っていくことにより、ジョブの混載を防いでいる。
【００１１】
このように、いろいろな排紙方法により排紙を行っているが、満載時ユーザに用紙取り除きを通知するのは、現在排紙を行っている排紙ビンが満載になった時か、全ビンが満載になって積載不可能状態になった時ということが多かった。
【００１２】
【発明が解決しようとする課題】
しかしながら、上記従来例には以下のような問題点があった。
【００１３】
多くのユーザがネットワークによりＬＡＮ接続されているプリンタ等の画像記録装置を共有して使用する環境では、様々な目的を持ったユーザが存在する。
【００１４】
例えば、１．印刷時に空きビンを検索し動的（ダイナミック）に名称を登録し排紙を行って仕分けを行いたいユーザ、２．固定的に排紙ビンに名称を割当てユーザ毎の仕分けを行いメールボックスのように使いたいユーザ、３．プリンタの排紙ビンを使用してソートを行い同一文書を別々の排紙口に排紙したいユーザ、４．大量ジョブを排紙するために空きビン全てを使用したいユーザ等様々である。
【００１５】
前者２つは複数のユーザで複数の排紙口を共有する排紙モード、後者２つは一人のユーザが一時的に全て或いは一部の排紙口を独占して使用する個人用排紙モードといえる。
【００１６】
このように、ネットワーク上のプリンタ等の画像記録装置で印刷を行う場合においては、上記のように使用される環境は変化し、排紙ビンに積載されているジョブが複数のユーザのものである場合と、全て自分のものである場合とがあるにもかかわらず、従来の画像記録装置では、単に満載状態であることを通知して用紙の取り除きを促すのみであって、この満載の通知があった時に、どのビンの用紙を取り除けば、満載状態を解除でき、印刷処理を再開するのに最善であるのかが、ユーザには分かりにく、１つのビンの用紙を取り除くだけで印刷を再開できるにも拘らず全てのビンの用紙を取り除いてしまったり、誤って他のユーザの排紙用紙を取り除いてしまうことが発生するという問題点があった。
【００１７】
本発明は、上記の問題点を解決するためになされたもので、本発明の目的は、排紙モードに応じた適切なタイミングで用紙の除去を通知することができる仕組を提供することである。
【００１８】
【問題を解決するための手段】
本発明は、外部装置から印刷データを受信する受信手段と、前記受信手段が受信した印刷データに基づいて記録紙上に画像を記録する画像記録手段と、  前記画像記録手段により画像が記録された記録紙を積載するための複数の積載手段と、前記積載手段に積載される記録紙が満載となったか否かを積載手段毎に判別する判別手段と、前記画像が記録された記録紙を前記複数の積載手段へ積載する排紙モードとして、前記印刷データに含まれる識別情報に対応する積載手段へ前記記録紙を積載可能とする第１の排紙モード及び前記複数の積載手段の全てへ前記記録紙を積載可能とする第２の排紙モードを少なくとも含む複数の排紙モードのいずれかを選択する選択手段と、前記複数の積載手段の各積載手段を識別するための識別情報を登録する登録手段と、前記選択手段が前記第１の排紙モードを選択した場合に、前記印刷データに含まれる識別情報と一致する識別情報が前記登録手段により登録されているか否かを判断する判断手段と、前記選択手段が前記第１の排紙モードを選択した場合であって前記印刷データに含まれる識別情報と一致する識別情報が前記登録手段により登録されていると前記判断手段が判断した場合は、該一致した識別情報に対応する積載手段に前記印刷データに基づいて画像が記録された記録紙を積載させるよう制御し、前記選択手段が前記第２の排紙モードを選択した場合は前記印刷データに基づいて画像が記録された記録紙を前記複数の積載手段の少なくともいずれかに積載させるよう制御する制御手段と、前記選択手段が前記第１の排紙モードを選択した場合は前記識別情報に対応する全ての積載手段が満載となったと前記判別手段が判別したことに応じて前記識別情報に対応する全ての積載手段が満載となった旨を通知し、前記選択手段が前記第２の排紙モードを選択した場合は前記複数の積載手段の全てが満載となったと前記判別手段が判別したことに応じて前記複数の積載手段の全てが満載となった旨を通知する通知手段と、を有することを特徴とする。
【００２８】
【発明の実施の形態】
〔第１実施形態〕
以下、本発明における実施形態を説明する。
【００２９】
なお、本発明における画像記録装置を共有して使用する排紙方法は、目的に応じた印刷ジョブの仕分けをフレキシブルに行うもので、１ジョブ毎、ユーザ毎に限ったものではないが、これ以降の説明では、広い意味でのユーザセパレートと定義し、予めビン名称を登録して排紙を行うモードをユーザセパレート固定モード、ジョブ処理中に動的（Ｄｙｎａｍｉｃ）に名称の登録及び削除を行う排紙モードをユーザセパレート自動モードと呼ぶこととする。
【００３０】
図１は、本発明の第１実施形態を示すデータ処理装置および画像記録装置を適用可能な画像記録システムの構成を説明する図である。
【００３１】
図に示すように、画像記録装置を複数のホストコンピュータ、すなわち複数のユーザで共有して使用する場合の例を説明する。
【００３２】
図において、１０２は画像記録装置（プリンタ）で、外部装置（ホストコンピュータ１０１（１０１Ａ，１０１Ｂ，１０１Ｃ，１０１Ｄ，１０１Ｅ））と所定の通信媒体、例えばＥｔｈｅｒｎｅｔ等のＬＡＮを介して接続され、各ホストコンピュータから送信される画像情報に基づいて記録媒体に画像記録を行い、ビン１〜７に排紙出力する。なお、本実施形態では、プリンタ１０２の排紙口を上段よりビン１，ビン２，……，ビン７とする。
【００３３】
ホストコンピュータ１０１Ａ，１０１Ｂ，１０１Ｃ，１０１Ｄ，１０１Ｅのユーザはそれぞれｓａｋａｉ，ｕｔｓｕ，ｋａｋｋｙ，ｙｕｉｃｈｉ，ｊｍｏｒｉで、ホストコンピュータを立ち上げ、ユーザがログインする時に、上記各名称がデフォルト値として登録される。この名称はユーザの編集が可能であり、ホストコンピュータ上のＵＩ（ユーザインタフェース）から入力することができる。
【００３４】
また、ホストコンピュータ１０１には、後述する図３，図４，図１０，図１１に示す識別名称による仕分け指定を行うアプリケーション又はプリンタドライバがインストールされている。また、ユーザｓａｋａｉがプリンタの設定等を管理する管理者である場合、ホストコンピュータ１０１Ａから、後述する図２に示すユーザインタフェース（ＵＩ）上での排紙モードの設定を行うことができる。
【００３５】
以下、図２を参照して、ホストコンピュータ１０１Ａによる排紙モードの設定、および図３，図４を参照して、ホストコンピュータ１０１による識別名称による仕分け指定について説明する。
【００３６】
図２は、図１に示した各ホストコンピュータ１０１Ａ上のホストアプリケーションによりプリンタ１０２の排紙モードの設定を行う画面の一例を示す模式図であり、後述する図９に示すホストコンピュータ１０１のＣＲＴ１０に表示される。
【００３７】
図において、５００は給排紙設定画面で、画像記録装置１０２の給紙モードおよび排紙モードを設定することができる。
【００３８】
５０１は給紙部設定エリアで、ここでは「自動」が設定されている。５０２は自動給紙表示エリアで、給紙部設定エリア５０１が「自動」に設定されている場合に給紙可能な給紙部が表示される。５０３はトレイ優先設定エリアで、給紙部設定エリア５０１が「自動」に設定されている場合に、トレイ優先の有無を選択することができ、ここではトレイ優先が選択されている。
【００３９】
５０４はトレイ用紙サイズ設定部で、トレイに格納されている用紙サイズ、例えばＡ４，Ｂ５，レター，エグゼクティブ等を設定することができ、ここでは「Ａ４」が設定されている。５０５は用紙名称設定ウインドウ表示ボタンで、このボタンを不図示のキーボード又はポインティングデバイスで指示することにより不図示の用紙名称設定ウインドウを表示して、用紙名称を設定することができる。
【００４０】
５１１は排紙部設定エリアで、ここでは「自動」が設定されている。５１２は自動排紙設定エリアで、排紙部設定エリア５１１が「自動」に設定されている場合に設定可能であり、ここでは「名称排紙（ユーザセパレート）」が設定されている。５１３はユーザセパレート設定エリアで、自動排紙設定エリア５１２が「名称排紙（ユーザセパレート）」に設定されている場合に、「自動」又は「固定」を選択的に設定することができ、ここでは自動が設定されている。
【００４１】
５１４はビン名称設定ウインドウ表示ボタンで、ユーザセパレート設定エリア５１３で「固定」を選択した場合、このボタンを不図示のキーボード又はポインティングデバイスで指示し不図示のビン名称設定ウインドウを表示して、ビン名称を設定することができる。
【００４２】
５２１はＯＫボタンで、このボタンを不図示のキーボード又はポインティングデバイスで指示することにより、給排紙設定画面５００の設定を有効（即ち、プリンタ１０２に登録指示を送信する）にして、給排紙設定画面５００を終了させる。５２２はキャンセルボタンで、このボタンを不図示のキーボード又はポインティングデバイスで指示することにより、給排紙設定画面５００の設定を無効にして、給排紙設定画面５００を終了させる。
【００４３】
５２３は更新ボタンで、このボタンを不図示のキーボード又はポインティングデバイスで指示することにより、給排紙設定画面５００の設定を有効（即ち、プリンタ１０２に登録指示を送信する）にすることができる。５２４はヘルプボタンで、このボタンを不図示のキーボード又はポインティングデバイスで指示することにより、不図示のヘルプウインドウを表示することができる。
【００４４】
図２に示した例では、画像記録装置１０２の排紙モードは、「ユーザセパレート自動」に設定されている。
【００４５】
なお、上記図２に示した給排紙設定画面５００よる給紙モード，排紙モードの設定は、通常、運用方法を決めてから画像記録装置設置時に１回だけ行えば良い。
【００４６】
次に、印刷時に目的に合わせた識別名称の設定を行なう場合の説明を行う。
【００４７】
図３，図４は、図１に示した各ホストコンピュータ１０１Ａ，１０１Ｂ上のホストアプリケーションにより印刷時の排紙モードの設定を行う画面の一例を示す模式図であり、後述する図６に示すホストコンピュータ１０１のＣＲＴ１０に表示される。
【００４８】
図３，図４において、６００は印刷時の排紙モード設定画面である。
【００４９】
６１１はジョブの処理方法選択エリアで、ジョブの排紙方法を「印刷」，「割り込み印刷」，「保存＋印刷」，「保存」から選択することができる。ここで「印刷」を選択するとジョブは送信順に印刷処理され、「割り込み印刷」を選択するとそのジョブは割り込み印刷処理され、「保存＋印刷」を選択するとそのジョブは後述する図９に示す外部メモリ１１に格納されるとともに、送信順に印刷処理され、「保存」を選択するとそのジョブは後述する図９に示す外部メモリ１１に格納される。
【００５０】
６０１は７ビンソータ装着表示で、画像記録装置１０２が７ビンソータを装着していることを示す。６０２は排紙方法設定エリアで、ここではユーザセパレートが設定されている。
【００５１】
また、ユーザセパレートを選択すると、プリンタ１０２に予め設定されているユーザセパレートの種類（自動）にマッチしたＵＩ（ビン名称設定エリア６０３，ビン名称入力エリア６０４）が表示される。
【００５２】
ビン名称設定エリア６０３は、ユーザセパレート自動モード設定時、「ログイン名をビン名称として使う」か、「ビン名称をカスタマイズして使う」かを選択できる。
【００５３】
ビン名称入力エリア６０４は、ビン名称設定エリア６０３により「ビン名称をカスタマイズして使う」を選択した場合のビン名称を、使用する名称、例えば「柿木」を入力するか、「ホスト別仕分け」，「グループ名別仕分け」，「アプリケーション別仕分け」，「用紙サイズ別仕分け」，「用紙タイプ等の紙種」，「ファイル名称別仕分け」，「時間帯別仕分け」，「日付別仕分け」等の選択肢の中から１つを選択する。なお、「ホスト別仕分け」，「グループ名別仕分け」，「アプリケーション別仕分け」，「用紙サイズ別仕分け」，「用紙タイプ等の紙種」，「ファイル名称別仕分け」，「時間帯別仕分け」，「日付別仕分け」等の選択肢は、後述する図９のＲＯＭ３、ＲＡＭ２内の不揮発性メモリ、又は外部メモリ１１等に記憶されているものとする。また、ビン名称入力エリア６０４に新規に入力されたビン名称は、図９のＲＡＭ２内の不揮発性メモリ、又は外部メモリ１１等に記憶され、次回より選択肢の一つとするように構成してもよい。
【００５４】
６０５は標準に戻すボタンで、このボタンを不図示のキーボード又はポインティングデバイスで指示することにより、印刷時の排紙モード設定画面６００の設定を標準設定に戻す。
【００５５】
６１０は部単位印刷指定チェックボックスで、このチェックボックスを不図示のキーボード又はポインティングデバイスで指示することにより、複数部数印刷する場合、部単位での印刷を設定する。
【００５６】
６０６はＯＫボタンで、このボタンを不図示のキーボード又はポインティングデバイスで指示することにより、印刷時の排紙モード設定画面６００の設定を有効にして、印刷時の排紙モード設定画面６００を終了させる。６０７はキャンセルボタンで、このボタンを不図示のキーボード又はポインティングデバイスで指示することにより、印刷時の排紙モード設定画面６００の設定を無効にして、印刷時の排紙モード設定画面６００を終了させる。
【００５７】
６０８は適用ボタンで、このボタンを不図示のキーボード又はポインティングデバイスで指示することにより、印刷時の排紙モード設定画面６００の設定を有効にすることができる。６０９はヘルプボタンで、このボタンを不図示のキーボード又はポインティングデバイスで指示することにより、不図示のヘルプウインドウを表示することができる。
【００５８】
図３はビン名称設定エリア６０３で「ログイン名をビン名称として使う」を選択した場合（デフォルト設定）に対応し、この設定を行ったユーザからの印刷ジョブは、ユーザ毎仕分けされて排紙される。また図４はビン名称設定エリア６０３で「ビン名称をカスタマイズして使う」を選択した場合に対応し、この設定を行ったユーザからの印刷ジョブは、ビン名称入力エリア６０４に入力された「柿木」で仕分けされて排紙される。
【００５９】
本実施形態においては、ユーザ毎の仕分け又は目的別の仕分けの場合について説明を行っているが、ユーザ毎の仕分けで運用を行いたいユーザに関しては、デフォルト設定のままで良く何もしなくても良い。図３においてＯＫボタン６０６を指示することによりユーザ毎仕分けが可能となる。
【００６０】
一方、目的別仕分けを行いたいユーザに関しては、図４に示したようにビン名称設定エリア６０３で「ビン名称をカスタマイズして使う」を選択し、ビン名称入力エリア６０４で、使用する名称の入力を行うか、「ホスト別仕分け」，「アプリケーション別仕分け」，「用紙サイズ別仕分け」，「用紙タイプ等の紙種」，「ファイル名称別仕分け」，「時間帯別仕分け」，「日付別仕分け」等の識別名称のジャンル（種類）の選択肢の中から１つを選択してＯＫボタン６０６を指示する。
【００６１】
上記必要な設定を行った後、ユーザセパレート指定で印刷指示を行なうだけで、目的別の仕分けが可能となる。
【００６２】
また、図３及び図４の画面（印刷時の排紙モード設定画面６００）から分かるように、ユーザは排紙口を指定する必要はなく、印刷データをユーザセパレート設定で送信するだけで、図３，図４の印刷時の排紙モード設定画面６００により設定しておいた所望の仕分けを行うことが可能となる。
【００６３】
以下、図５〜図８を参照して、本発明のデータ処理装置及び画像記録装置を適用可能な画像記録システムの各排紙モードで運用中の満載メッセージに関する動作について説明する。
【００６４】
図５は、本発明のデータ処理装置及び画像記録装置を適用可能な画像記録システムのユーザセパレート自動モードで運用中の満載メッセージに関する動作を示す概念図であり、ユーザセパレート自動モードで排紙を行った結果を表している。
【００６５】
図に示すように、ユーザセパレート自動モードで各ユーザが排紙を行った結果満載が発生した場合を表しており、画像記録装置１０２を複数のホストコンピュータ、すなわち複数のユーザでユーザセパレート自動モードにより共有して使用する場合の例である。
【００６６】
また、本実施形態のユーザセパレート自動モードは連続するビンを同一名称で登録可能な場合は排紙を続けられるものであり、例えば図５に示すように、ユーザｋａｋｋｙが連続して大量の排紙を行い、ビン１から順に積載していき、ビン１が満載後ビン２、ビン３、ビン４へと排紙を続け、ビン１〜ビン４をユーザｋａｋｋｙが使用している状態となったとする。そこにユーザｙｕｉｃｈｉが排紙を行い、空きビンであるビン５に排紙を行った状態である。
【００６７】
その後ユーザｋａｋｋｙが排紙を行った場合、ビン４が満載になるまで排紙可能であるが、ビン４が満載になったら連続するビン５を使用できないために、ユーザｋａｋｋｙはユーザセパレート自動モードによる排紙を続行することはできない。
【００６８】
そこで、図に示すように、ビン４が満載になった時点で、ビン１、ビン２、ビン３、ビン４の全ての用紙を取り除くようメッセージを表示する。画像記録装置のパネルには”ビンフルビン１”等と表示し、ビン１の所は対象ビンをトグル表示又は、流れるようスクロール表示（スライド表示）を行いユーザに取り除くべき全てのビンが分かるようにする。
【００６９】
ユーザのオペレーションとしては、ビン５の用紙を取り除くことでも満載表示からの復帰は可能であるが、ビン５の用紙はユーザｙｕｉｃｈｉのものであり他人のジョブなので、ユーザに促すオペレーションとしては上記ビン１〜ビン４の用紙取り除き要求とする。
【００７０】
図６は、本発明のデータ処理装置及び画像記録装置を適用可能な画像記録システムのユーザセパレート固定モードで運用中の満載メッセージに関する動作を示す概念図であり、ユーザせパレート固定モードで排紙を行った結果を表している。
【００７１】
このユーザセパレート固定モードでは、各排紙ビンは予め誰が使用するものかを登録してメールボックス的に使用する排紙方法であり、１ジョブの送信で複数のビンに同じ内容のジョブを配送することも可能となっている。すなわち複数のユーザでユーザセパレート固定モードにより画像記録装置を共有して使用することができる。
【００７２】
上記方法でビン１の”人事一課”と、ビン４の”総務一課”と、ビン７の”管理課”に排紙指定した結果、ビン１の”人事一課”とビン７の”管理課”が満載になったものとする。この場合、本ジョブの送信により排紙を行ったビンはビン１の”人事一課”、ビン４の”総務一課”、ビン７の”管理課”で、本ジョブで満載になったのはビン１の”人事一課”とビン７の”管理課”なので、ビン１とビン７の全ての用紙を取り除くようメッセージ表示する。
【００７３】
その他のビン２、ビン３、ビン５、ビン６が満載であっても表示は行わないものとする。
【００７４】
図７は、本発明のデータ処理装置及び画像記録装置を適用可能な画像記録システムのソートモードで運用中の満載メッセージに関する動作を示す概念図であり、ソートモードで排紙を行った結果を表している。
【００７５】
このソートモードでは、ある一人のユーザが独占してビンを使用している状態であり、ソート開始時には全ビンの用紙を取り除いてから処理を行うようになっている。
【００７６】
また、ソート中はどのビンも同一枚数の用紙が積載されている。すなわち図７の場合のように、５部ソート時に満載になる場合はビン１〜ビン５までが満載であり、これら全てを取り除くことによって満載を解除するようユーザに通知し、全ての用紙が取り除かれて動作を再開する。
【００７７】
図８は、本発明のデータ処理装置及び画像記録装置を適用可能な画像記録システムのスタックモードで運用中の満載メッセージに関する動作を示す概念図であり、スタックモードで排紙を行った結果を表している。
【００７８】
このスタックモードでは、ある一人のユーザが大量排紙を行っている場合や、複数のユーザがランダムに排紙を行って積載する場合もある。
【００７９】
スタックの最大の目的は大量に排紙を行えるということなので、全ての排紙ビンが満載になった時に満載を通知し、全てのビンの用紙を取り除くようユーザに通知し、全ての用紙が取り除かれて動作を再開する。
【００８０】
以上で述べたユーザへの通知は各図に示すように、画像記録装置自体の表示パネル（後述する図１３に示すパネル部１０４）に表示を行うと共に、ホストコンピュータ１０１へも通知を行い、ホストコンピュータ１０１上の画面（後述する図９に示すＣＲＴ１０）に表示を行うようになっている。
【００８１】
また、図５〜図８に示した画像記録装置１０２の各排紙モードは、ホストコンピュータ１０１上又は画像記録装置１０２のパネル部１０４から設定可能となっている。
【００８２】
図９は、図１に示したホストコンピュータ１０１の構成を説明するブロック図である。
【００８３】
図において、１はＣＰＵで、ＲＯＭ３のプログラム用ＲＯＭに記憶されたプログラム（種々のアプリケーションプログラム，プリンタドライバ等）に基づいてプリンタ１０２とデータを通信することができ、システムバス４に接続される各デバイスを統括制御する。
【００８４】
また、ＲＯＭ３のフォント用ＲＯＭにはフォントデータ等を記憶し、ＲＯＭ３のデータ用ＲＯＭは各種データを記憶する。２はＲＡＭで、ＣＰＵ１の主メモリ，ワークエリア等として機能する。
【００８５】
５はキーボードコントローラ（ＫＢＣ）で、キーボード９や不図示のポインティングデバイスからのキー入力を制御する。６はＣＲＴコントローラ（ＣＲＴＣ）で、ＣＲＴディスプレイ（ＣＲＴ）１０の表示を制御する。７はメモリコントローラ（ＭＣ）で、フォントデータ，ユーザファイル，編集ファイル等を記憶するハードディスク（ＨＤ），フロッピーディスク（ＦＤ）などの外部メモリ１１とのアクセスを制御する。
【００８６】
８はプリンタコントローラ（ＰＲＴＣ）で、所定の通信媒体（ＩＥＥＥ１２８４等で規定されているローカルインタフェースでもＥｔｈｅｒｎｅｔのようなネットワークインタフェースでもよい）を介してプリンタ１０２に接続され、プリンタ１０２との通信制御処理を実行する。
【００８７】
なお、ＣＰＵ１は、たとえばＲＡＭ２上に設定された表示情報ＲＡＭへのアウトラインフォントの展開処理を実行し、ＣＲＴ１０上でのＷＹＳＩＷＹＧを可能としている。
【００８８】
また、ＣＰＵ１は、ＣＲＴ１０上の不図示のマウスカーソル（ポインタ）等で指示されたコマンドに基づいて登録された種々のウインドウを開き、種々のデータ処理を実行する。
【００８９】
さらに、ＲＡＭ２は、内部にＮＶＲＡＭ等の不揮発性メモリを有するものとする。
【００９０】
なお、本発明の各排紙モードや識別名称，排紙部数等の各指定は、キーボード９や不図示のポインティングデバイスからの入力指示することができる。
【００９１】
以下、図１０，図１１を参照して、図１に示した本発明のデータ処理装置および画像記録装置を適用可能な画像記録システムの概念の印刷時の詳細な説明を行う。
【００９２】
図１０は、本発明のデータ処理装置および画像記録装置を適用可能な画像記録システムの第１の処理手順を示すフローチャートであり、ユーザセパレート自動モード排紙指定時に使用する識別名称を選択する処理手順に対応し、図９に示したホストコンピュータ１０１Ａ，１０１Ｂ内のＣＰＵ１がＲＯＭ３又はその他の記憶媒体に格納されたプログラムに基づいて実行する。なお、Ｓ３０１〜Ｓ３０６は各ステップを示す。
【００９３】
まず、ステップＳ３０１において、識別名を登録するか否かを判定する。即ち、ユーザセパレート自動モードでの排紙をユーザが指示したか否かを判定する。
【００９４】
ステップＳ３０１で識別名を登録しない、即ちユーザセパレート自動モード以外の排紙をユーザが指示した場合は、識別名を登録する必要がないので、そのまま処理を終了する。
【００９５】
一方、ステップＳ３０１で識別名を登録する、即ちユーザセパレート自動モードでの排紙をユーザが指示した場合は、ビン名称設定エリア６０３でユーザはどの識別名称を使用するか選択するためにステップＳ３０２に進む。
【００９６】
ステップＳ３０２において、識別名称を編集する、即ちビン名称をカスタマイズして使うか否かを判定し、識別名称を編集しない（ビン名称設定エリア６０３で「ログイン名をビン名称として使う」を選択した）と判定された場合は、識別名称を編集する必要がないので、そのまま処理を終了する。
【００９７】
一方、ステップＳ３０２で識別名称を編集する（ビン名称設定エリア６０３で「ログイン名をカスタマイズして使う」を選択した）と判定された場合は、ステップＳ３０３において、識別名称のジャンル（種類）を選択するか否かを判定し、識別名称のジャンルを選択すると判定された場合は、ステップＳ３０５に進み、ビン名称入力エリア７０４で、選択肢の中から、例えば「ホスト別仕分け」，「アプリケーション別仕分け」，「用紙サイズ別仕分け」，「ファイル名称別仕分け」，「時間帯別仕分け」等の識別名称のジャンル（種類）の中から１つを選択し、ステップＳ３０６に進む。
【００９８】
一方、ステップＳ３０３で識別名称のジャンル（種類）を選択しないと判定された場合は、ステップＳ３０４に進み、ビン名称入力エリア７０４で、「柿木」等のユーザ名，部署名，グループ名等の名称入力を行い、ステップＳ３０６に進む。
【００９９】
次に、ステップＳ３０６において、ユーザ設定情報（排紙モード設定画面６００上で設定した情報（識別名称等））をＲＡＭ２内の不揮発性メモリ又はハードディスク等の外部メモリ１１に記憶し、処理を終了する。
【０１００】
なお、記憶されたユーザ設定情報は、ユーザセパレート自動モード指定の印刷時に印刷データに付加する情報を決定するために使用される。
【０１０１】
次に、上記図１０のフローチャートに示したユーザ設定の後、ユーザが印刷指示を行った後の印刷データ作成及び送信の処理について、以下図１１を用いて説明する。
【０１０２】
図１１は、本発明のデータ処理装置および画像記録装置を適用可能な画像記録システムの第２の処理手順を示すフローチャートであり、印刷指示があった時に画像記録装置へ送信する印刷データを作成するホストコンピュータ上の処理手順に対応し、図９に示したホストコンピュータ１０１Ａ，１０１Ｂ内のＣＰＵ１がＲＯＭ３又はその他の記憶媒体に格納されたプログラムに基づいて実行する。なお、Ｓ４０１〜Ｓ４０５は各ステップを示す。
【０１０３】
ユーザからの印刷指示があると、先ずステップＳ４０１において給排紙の設定等の制御情報を作成する。
【０１０４】
次に、ステップＳ４０２において、ユーザセパレート自動モード指定か否かを判定し、ユーザセパレート自動モードでないと判定された場合は、ステップＳ４０３において各モードに合わせた排紙指定を行ってデータを作成し、ステップＳ４０４において、画像記録装置へのデータ送信を行う。
【０１０５】
一方、ステップＳ４０２でユーザセパレート自動モード指定であると判定された場合は、ステップＳ４０５において、図１０のＳ３０６において記憶（設定）しておいた識別の為のユーザ設定情報を元に、印刷データに付加する識別名称を決定する。
【０１０６】
デフォルトであればログイン名称、ユーザが編集した名称が登録されている場合は、予め入力しておいたユーザ名称を付加し、その他ホスト別仕分け（ホストＩＤ）、アプリケーション別仕分け（識別子）、用紙サイズ別仕分け（指定用紙サイズ）、ファイル名称別仕分け（ファイル名）、時間帯別仕分け（時刻）等の選択が行われていたら、ホストコンピュータ内で管理する各情報を付加するように決定する。
【０１０７】
次に、ステップＳ４０３において、各排紙モードに応じたデータ作成を行う。この時、ステップＳ４０５で付加決定した識別情報がある場合は、その識別情報を印刷データに付加した印刷ジョブを作成する。
【０１０８】
次に、ステップＳ４０４において、画像記録装置１０２への印刷ジョブのデータ送信を行う。
【０１０９】
なお、印刷ジョブが排紙完了したら、ジョブ終了通知を画像記録装置１０２から受け取って、例えば図１２に示すような表示をホストコンピュータ１０１上で行い、実際にユーザが使用している排紙ビンを認識できるようにしてある。
【０１１０】
図１２は、図１に示した画像記録装置１０２からホストコンピュータ１０１に通知される印刷終了通知を示す模式図であり、ホストコンピュータ１０１の表示部に表示される。
【０１１１】
この表示により、ユーザは、自分の印刷ジョブがいずれのビンに排紙されたかを一目で認識することができる。
【０１１２】
次に、図１３〜図２５を参照して、図１に示した画像記録装置１０２の構成について説明する。
【０１１３】
図１３は、図１に示した画像記録装置１０２を適用可能なレーザビームプリンタの構成を説明するブロック図である。
【０１１４】
なお、本実施形態を適用する画像記録装置は、レーザビームプリンタに限られるものではなく、インクジェットプリンタ等他のプリント方式のプリンタでも良いことは言うまでもない。
【０１１５】
また、以下の説明および図においては、オプションユニットを２台接続した例を説明するが、更に多くのオプションユニットを接続可能であり、またオプションユニットの機能を本体が共有しても構わない。
【０１１６】
図において、レーザビームプリンタ（プリンタ）１０２は、各種オプション装置が接続可能であり、ホストコンピュータ等の外部機器１０１と汎用インタフェース（例えばセントロニクス、ＲＳ２３２Ｃ，ＵＳＢ等），ネットワーク（例えばＥｔｈｅｒｎｅｔ等）で接続され、汎用インタフェースを介して外部機器１０１から転送される印刷情報（所定のプリンタ言語に基づくコードデータ等の制御情報、例えばＰｏｓｔ  Ｓｃｒｉｐｔ，ＬＩＰＳＩＩＩ，ＬＩＰＳＩＶ，イメージデータ等を含む）に基づく画像記録を行なう。
【０１１７】
１０３はビデオコントローラで、外部機器１０１と前記汎用インタフェースで接続され、外部機器１０１から前記汎用インタフェースを介して転送されるコードデータ（ＥＳＣコード、各種ＰＤＬデータ等）を受信し、該コードデータに基づくドットデータ等からなるページ情報を生成し、ビデオインタフェース８０を介して後述するエンジンコントローラ１０５に対してイメージデータ（２値又は多値）を送信するとともに、統括インタフェース９０を介して後述するオプションコントローラ部１０６に対して給紙指定及び排紙指定のコマンド等を送信する。エンジンコントローラ１０５は、前記ビデオコントローラ１０３から転送されるイメージデータに基づいて、周知の電子写真プロセスによって感光ドラム上に潜像を形成し、供給される用紙に転写、定着して印字を行なう。なお、この時、オプションコントローラ部１０６に対して給排紙のタイミングの指示等を行なう。
【０１１８】
１０４はパネル部で、操作のための各種スイッチ（ボタン）、ＬＥＤ表示器、ＬＣＤ表示器等から構成されるユーザとのインタフェースであり、ユーザはパネル部１０４を操作することによりプリンタ１０２に所定の動作を指示することができる。なお、ユーザにより設定された各種データ等は図示しない不揮発性メモリ、例えばＮＶＲＡＭ，ＥＥＰＲＯＭ等に記憶管理される。
【０１１９】
オプションコントローラ部１０６は、図示しないＣＰＵ，ＲＯＭ，ＲＡＭ等を備え、前記ビデオコントローラ１０３から転送される給排紙指定等及びエンジンコントローラ１０５からの給排紙指示等に基づいて、１台以上のオプション装置（ユニット）を統括して制御する統括コントローラであり、各種オプション装置に具備されるオプションコントローラユニットとオプションユニットインタフェース７０を介して通信を行ない、各種オプション装置を統括的に制御する。
【０１２０】
また、オプションコントローラ部１０６のＲＡＭ内には、ビデオコントローラ１０３がアクセス可能な共有メモリ（後述する図１９に示す）があり、該共有メモリは約４０頁分の搬送状況管理エリア、基本ステータスエリア、コマンドステータス管理エリア、立ち上げ処理エリア等から構成され、ビデオコントローラ１０３は、上記共有メモリの各エリアを介して各オプション装置に対する指定を行なう。
【０１２１】
なお、上記搬送状況管理エリアは、ビデオコントローラ１０３が印字方法（給紙口、排紙口、色、ステイプルする、シフトする等）を各オプション装置へ通知する領域と、各オプション状態（どこまで印字した、排紙完了した等）をビデオコントローラ１０３に通知する領域から構成される。
【０１２２】
また、基本ステータスエリアは、各オプション装置の異常（ＪＡＭ，紙なしステイプル針なし等）をビデオコントローラ１０３に通知する領域で、コマンド＆ステータス管理エリアは、ビデオコントローラ１０３とコマンドステータスのやりとりを行なう領域で、立ち上げ処理エリアは、ビデオコントローラ１０３が各オプション装置の立ち上げ処理を指定する領域である。
【０１２３】
１０７は給紙オプション装置（ユニット）であり、例えばペーパデッキオプションユニットで、内部にペーパデッキコントローラ（大容量給紙カセットコントローラ）１０７ａを有し、オプションコントローラ部１０６から送信される制御情報に基づいて給紙制御を行なう。なお、上記ペーパデッキコントローラ１０７ａは、不図示のＣＰＵ，ＲＯＭ，ＲＡＭを備え、ＣＰＵがＲＯＭに格納されたプログラムに基づいて給紙オプション装置１０７を制御する。また、ＲＯＭには給紙オプション装置１０７の拡張情報、例えばペーパデッキに格納可能な用紙サイズの情報等が格納されている。
【０１２４】
１０８は排紙オプション装置（ユニット）であり、例えばソート機能を有するソータオプションユニットで、内部にソータコントローラ（大容量排紙スタッカコントローラ）１０８ａを有し、オプションコントローラ部１０６から送信される制御情報に基づいてソート動作及び排紙動作を行なう。なお、上記ソータコントローラ１０８ａは、不図示のＣＰＵ，ＲＯＭ，ＲＡＭを備え、ＣＰＵがＲＯＭに格納されたプログラムに基づいて排紙オプション装置１０８を制御する。また、ＲＯＭには排紙オプション装置１０８の拡張情報例えば、排紙ビンの数、ソート機能の有無、ステイプル機能の有無、排紙用紙を所定の方向にずらすシフト機能の有無、排紙用紙のフェースの向きを反転させる反転機能の有無の情報等が格納されている。
【０１２５】
なお、給紙オプション装置１０７及び排紙オプション装置１０８には表示部及び各種キーを備える操作部（コントローラ）１０７ｂ及び１０８ｂがそれぞれ設けられ、各オプション使用時のユーザに対するメッセージ及び操作方法等を表示及び操作が可能となっている。
【０１２６】
また、１０９は制御ユニットで、プリンタ１０２の印字プロセス制御を行なうエンジンコントローラ１０５、プリンタ１０２全体の制御とホストコンピュータ等の外部機器１０１からのデータを解析しイメージデータに変換するビデオコントローラ１０３、各種オプションユニットを統括して制御するオプションコントローラ部１０６により構成されている。
【０１２７】
なお、オプションコントローラ部１０６は、共通のオプションユニットインタフェース７０によって各オプションユニットを管理し、統括インタフェース９０を介してビデオコントローラ１０３と通信する。本実施形態では、各給排紙オプションユニットをオプションコントローラ部１０６を経由してビデオコントローラ１０３が制御することが特徴である。
【０１２８】
図１４は、図１３に示したプリンタ１０２の構成を説明する断面図であり、図１３と同一のものには同一の符号を付してある。
【０１２９】
図において、２３０は用紙カセットで、記録紙Ｓを保持し、不図示の仕切り板によって電気的に記録紙Ｓのサイズを検知する機構を有する。２３１はカセット給紙クラッチで、用紙カセット２３０上に載置された記録紙Ｓの最上位の記録紙一枚のみを分離し、不図示の駆動手段によって分離した記録紙Ｓを給紙ローラ２０４まで搬送させるカムであり、給紙のたびに間欠的に回転し、１回転に対応して一枚の記録紙を給紙する。２３０Ｓは記録紙検知センサで、用紙カセット２３０に保持された記録紙Ｓの量を検知する。
【０１３０】
２２７はレジストシャッタで、用紙を押圧して給紙を停止させる。給紙ローラ２０４は、記録紙Ｓの先端部をレジストシャッタ２２７まで搬送する。２０２は手差用トレイで、記録紙Ｓを載置する。２０３は手差し給紙クラッチで、手差し用トレイ２０２に載置された記録紙Ｓをレジストシャッタ２２７まで搬送する。２３３はオプション給紙ローラ（給紙中継搬送ローラ）で、給紙オプション１０７から給紙された記録紙Ｓをプリンタ１０２本体内へ供給する。
【０１３１】
また、前記手差し給紙ローラ２０３、カセット給紙クラッチ２３１、オプション給紙ローラ２３３の下流には、記録紙Ｓを同期搬送するレジストローラ対２０５が設けられ、レジストローラの下流には、レーザスキャナ部２０６から発したレーザ光によって、記録紙Ｓ上にトナー像を公知の電子写真プロセスにより形成する画像記録部２０７が設けられている。
【０１３２】
レーザスキャナ部２０６において、２１５はレーザユニットで、ビデオコントローラ１０３から送出される画像信号（ＶＤＯ信号）に基づいてレーザ光を発する。レーザユニット２１５から発せられたレーザ光は、ポリゴンミラー２１６により走査され、結像レンズ群２１８及び折返ミラー２１９を介して感光ドラム２２０上に潜像を形成する。２１７はビーム検出器で、レーザユニット２１５から発せられたレーザ光を検知して主走査同期信号を出力する。２７０は光量センサで、レーザユニット２１５から発せられたレーザ光の光量を検知する。
【０１３３】
また、画像記録部２０７において、２２２は一次帯電器で、感光ドラム２２０上を均一に帯電させる。２２３は現像器で、一次帯電器２２２により帯電され、レーザスキャナ部２０６によりレーザ露光されて感光ドラム２２０に形成された潜像をトナー現像する。２２４は転写帯電器で、前記現像器２２３により現像された感光ドラム２２０上のトナー像をレジストローラ２０５により給紙される記録紙Ｓに転写する。２２５はクリーナで、感光ドラム２２０上の残存トナーを取り除く。２２１は前露光ランプで、感光ドラム２２０を光除電する。
【０１３４】
２０８は定着器で、画像記録部２０７により記録紙Ｓに形成されたトナー画像を記録紙Ｓに熱定着させる。２１０は搬送ローラで、記録紙Ｓを排紙搬送する。２０９は排紙センサで、記録紙Ｓの排紙状態を検知する。２１１はフラッパで、記録が完了した記録紙Ｓの搬送方向を排紙トレイ２１３側又は排紙オプション１０８側に切り換える。２１４及び２１２は排紙ローラで、フラッパ２１１の切り換えにより搬送される記録紙Ｓを積載トレイ２１３に排紙する。２１３Ｓは排紙積載量検知センサで、積載トレイ２１３上に積載された記録紙Ｓの積載量を検知する。
【０１３５】
また、制御ユニット１０９内のエンジンコントローラ１０５は、レーザスキャナ部２０６、画像記録部２０７、定着器２０８による電子写真プロセスの制御、及びプリンタ１０２本体内の記録紙の搬送制御を行なう。
【０１３６】
さらに、ビデオコントローラ１０３は、パーソナルコンピュータ等の外部機器１０１と汎用インタフェース（例えばセントロニクス、ＲＳ２３２Ｃ等）で接続され、汎用インタフェースを介して送られてくる画像情報をビットデータに展開し、そのビットデータをＶＤＯ信号として、ビデォィンタフェース８０を介してエンジンコントローラ１０５へ送る。
【０１３７】
次に、プリンタ１０２本体に着脱可能に接続された各種オプションユニットについて説明する。
【０１３８】
図１３に示したオプションコントローラ部１０６は、図１４に示したプリンタ本体内に設けられ、各種オプションユニットを共通パスとなるオプションユニットインタフェース７０を介して同一のプロトコルで通信可能に構成されている。また、オプションコントローラ部１０６は、統括インタフェース９０を介してビデオコントローラ１０３に接続される。
【０１３９】
ペーパデッキオプションユニット等の給紙オプション装置１０７において、２４１はペーパデッキで、昇降するデッキ上に記録紙Ｓを大容量に積載する。２４２はペーパデッキ給紙ローラで、ペーパデッキ２４１上に積載された記録紙Ｓを給紙する。
【０１４０】
２４４は搬送ローラで、ペーパデッキ給紙ローラ２４２から給紙される記録紙Ｓをオプション給紙ローラ２３３方向に搬送する。２４３は給紙中継搬送ローラで、ペーパデッキオプションの下部に着脱可能に複数接続可能な他の給紙系オプションユニット（異なるサイズ又は同一サイズの記録紙を給紙可能な）から給紙される記録紙を中継搬送する。また、２４１Ｓは記録紙格納量検知センサで、ペーパデッキ２４１上に載置された記録紙Ｓの載置量を検知する。
【０１４１】
なお、ペーパデッキオプションユニット等の給紙オプション装置１０７は、ペーパデッキコントローラ１０７ａによって制御される。
【０１４２】
ソータオプションユニット等の排紙オプション装置１０８において、２５１〜２５７はフェースダウン排紙を行なう第１排紙ビン〜第７排紙ビンで、記録済みの記録紙Ｓを仕分けして積載するものである。また、２５８はソ‐タオプションへ搬入された用紙をそのままストレートに通紙し、フェースアップ排紙を行なう第８排紙ビンである。２８０はフラッパで、プリンタ１０２本体のフラッパ２１１により振り分けられソータオプションユニット１０８に送られた記録紙Ｓをビデオコントローラ１０３からの指示に基づいて用紙のフェース切り換えを行なうように搬送切り換えを行なう。また、２６１Ｓ〜２６８Ｓは排紙エンプティ検知センサで、第１排紙ビン２５１〜第８排紙ビン２５８に排紙される記録用紙の積載用紙有り無しを検知する。
【０１４３】
さらに、排紙積載量検知センサ２７１Ｓ〜２７８Ｓは、前記第１排紙ビン２５１〜第８排紙ビン２５８上に積載された記録紙の積載量（積載量ゼロ（空）〜満載）を検知し、前記第１排紙ビン２５１〜第８排紙ビン２５８に積載された記録用紙の高さが例えば１８ｍｍ（約１２０枚に相当）に到達した（検知した）時点で、ソータコントローラ１０８ａが満載をオプションコントローラ部１０６を介してビデオコントローラ１０３に通知する。
【０１４４】
また、上記第１排紙ビン２５１〜第８排紙ビン２５８は、各ビンで約１２０枚、つまり８ビンで約９６０枚積載可能であり、そのうち第１排紙ビン２５１〜第７排紙ビン２５７はソート排紙を行なうことが可能である。
【０１４５】
ビデオコントローラ１０３により統括インタフェース９０を通してフェースアップ指定された場合は、フェースアップフラッパ２８０をオンにし振り分けを行ない、振り分けられた記録紙Ｓは、ローラ２９０によりそのまま排紙口へ送られる。また、ビデオコントローラ１０３により統括インタフェース９０を通してフェースダウン指定された場合は、フェースアップフラッパ２８０をオフにし振分を行ない、振り分けられた記録紙Ｓは、ローラ２９１により一旦記録紙Ｓの後端がフェースアップフラッパ２８０を越えるまで搬送され、次にローラ２９１が反転して記録紙Ｓの後端から縦パスに送り込まれ、指定排紙ビンによってビンフラッパ２８１〜２８６を所定のタイミングで駆動して各フェースダウン排紙口へ振分を行ない、フェースダウン状態で排紙を完了する。排紙ビンが第７排紙ビン２５７の場合、ビンフラッパを駆動せずそのまま排紙を行なうことにより、フェースダウン排紙を完了する。
【０１４６】
さらに、不図示のステイプラにより、ビデオコントローラ１０３により統括インタフェース９０を通してステイプル指定されている場合は、不図示のステイプルトレイに記録紙Ｓを蓄え、記録紙Ｓを整列して、ステイプラがステイプル実行して第１排紙ビン２５１〜第８排紙ビン２５８のいずれかに排紙する。また、ビデオコントローラ１０３により統括インタフェース９０を通してシフト指定されている場合は、ステイプル指定されている場合と同様に、不図示のステイプルトレイに用紙を蓄え、記録紙Ｓを整列し記録紙Ｓをトレイごとずらして、すなわち、排紙される記録紙Ｓの載置域（トレイ）をずらしてから第１排紙ビン２５１〜第８排紙ビン２５８のいずれかに排紙する。また、不図示のステイプル針残量検知センサを有し、ステイプル内に格納されたステイプル針の残量を検知する。
【０１４７】
なお、ソータオプションユニット１０８は、ソータコントローラ１０８ａによって制御される。
【０１４８】
また、オプションコントローラ部１０６、ペーパデッキコントローラ１０７ａ、ソータコントローラ１０８ａは、それぞれコネクタで接続され、オプションユニットインタフェース７０によりシリアル通信を行なう。両者は互いに同じコネクタにより直列接続され、従って、ペーパデッキオプションユニット１０７と、ソータオプションユニット１０８は、その接続順を入れ替えて接続することも可能である。
【０１４９】
なお、前記手差し給紙ローラ２０３、カセット給紙クラッチ２３１、ペーパデッキ給紙ローラ２４２の下流には、記録紙Ｓを搬送する前記レジストローラ対２０５、給紙ローラ２０４、搬送ローラ２４４がそれぞれ設けられ、レジストローラ対２０５の下流には、前記レーザスキャナ部２０６から発せられたレーザ光によって、記録紙Ｓ上にトナー像を形成する画像記録部２０７が設けられている。更に、画像記録部２０７の下流には、記録紙Ｓ上に形成されたトナー像を熱定着する定着器２０８が設けられ、定着器２０８の下流には、排紙部の搬送状態を検知する排紙センサ２０９、記録紙を搬送する搬送ローラ２１０、記録が完了した記録紙Ｓの搬送方向を切り換えるフラッパ２１１等が設けられている。
【０１５０】
図１５は、図１３に示したプリンタ１０２の構成を説明するブロック図であり、図１３と同一のものには同一の符号を付してある。
【０１５１】
図において、９１はシリアル通信インタフェースで、ペーパデッキオプションユニット１０７への給紙指定やソータオプションユニット１０８への排紙ビン指定等のコマンドが、ビデオコントローラ１０３からオプションコントローラ部１０６に送信され、ペーパデッキオプションユニット１０７の紙有無状態やソータオプションユニット１０８の各排紙ビンの積載状態、ステイプル針の有無状態等のステータスがオプションコントローラ部１０６とビデオコントローラ１０３とは、ＣＰＵバスで直結することもできる。
【０１５２】
９２はＯＰＴＲＤＹ信号で、ビデオコントローラ１０３が指定したオプション、例えばステイプルが使用できる状態になっているか否かを示す信号として機能し、オプションコントローラ部１０６からビデオコントローラ１０３に送信される。９３はＰＯＵＴＴ信号で、プリンタ１０２本体が記録紙を排紙するタイミング信号として機能する。９４はＰＦＥＤＴ信号で、プリンタ１０２本体がオプションユニットから記録紙を受け入れるタイミングを示す信号として機能する。９５はＳＰＣＮＧ信号で、オプションユニット内を高速搬送されてきた記録紙Ｓをスピードダウンして、プリンタ１０２本体の搬送速度に整合させるための信号として機能する。
【０１５３】
８１は通信インタフェースで、プリンタ１０２本体の給紙カセットへの給紙指定やプリンタ１０２本体の排紙トレイ２３１への排紙指定及び印字等のコマンドが、ビデオコントローラ１０３からエンジンコントローラ１０５に送信され、プリンタ１０２本体のカセット２３０の紙有無状態や紙づまり等のステータスがエンジンコントローラ１０５からビデオコントローラ１０３に送信される。８２はＶＤＯ信号で、ビデオコントローラ１０３から送信されるビットデータを示す。
【０１５４】
その他、不図示であるが、このエンジンコントローラ１０５による各処理に対する制御は、ビデオコントローラ１０３との間でやりとりされる信号に基づき実行され、その信号として、／ＣＰＲＤＹ、／ＰＰＲＤＹ、／ＲＤＹ、／ＰＲＮＴ、／ＶＳＲＥＱ、／ＶＳＹＮＣ、／ＢＤ、／ＳＣＬＫ、／ＣＭＤ、／ＣＢＳＹ、／ＳＴＳ、／ＳＢＳＹ、／ＣＣＲＴ（Ｃｏｎｄｉｔｉｏｎ  Ｃｈａｎｇｅ  ＲｅｐｏｒＴ）の各信号があり、その詳細は図１６に示す通りである。
【０１５５】
図１６は、ビデオコントローラ（ＶＣ）１０３とエンジンコントローラ（ＥＣ）１０５との間でやりとりされる信号を説明する図である。
【０１５６】
なお、上記信号のうち、／ＣＣＲＴ信号の使用方法を示すと、処理は以下の手順１及び手順２のようになる。
【０１５７】
（手順１）
ビデオコントローラ１０３は通常／ＲＤＹ信号と／ＣＣＲＴ信号とをチェックし、それらの信号に変化があった場合に、ステータスの情報を読みとりにいく。その際、／ＣＣＲＴ信号が”ＦＡＬＳＥ”であり、／ＲＤＹ信号が”ＦＡＬＳＥ”になった場合には、まずミスプリント、ウェイト、スリープ、オペレータコールなどの内容のステータスをチェックするもその結果に応じて、各ビットに応じた下位のステータスを参照して詳細を確認する。
【０１５８】
（手順２）
―方、／ＣＣＲＴ信号が”ＴＲＵＥ”になった場合には、まず用紙サイズ変更、給紙部紙有無変更、給紙部機能変更、警告内容変更などの内容のステータスを読みとり、変更になったステータスの種類を認識して、そのグループのステータスを順次読みとり詳細を認識する。また、／ＣＣＲＴ信号のリセツト手順について、エンジンコントローラ１０５は末端のステータス変化、すなわち用紙サイズの変更、用紙の有無の変化、給紙部機能の変更、警告状態の変化を常時チェックし、変化があった場合には、その上位に該当する状態変化ステータスを”１”にセットすると共に、ハード信号である／ＣＣＲＴ信号を”ＴＲＵＥ”にする。その後ビデオコントローラ１０３からのステータス要求コマンドを受信して状態変化ステータスがビデオコントローラ１０３に読み込まれたことをもって、／ＣＣＲＴ信号を”ＦＡＬＳＥ”にする。
【０１５９】
また、統括インタフェース９０は、シリアル通信インタフェース９１、ＯＰＴＲＤＹ信号９２、ＰＯＵＴＴ信号９３、ＰＦＥＤＴ信号９４、ＳＰＣＮＧ信号９５の５本のハード信号とで構成される。
【０１６０】
なお、ＰＯＵＴＴ信号９３、ＰＦＥＤＴ信号９４、ＳＰＣＮＧ信号９５の３信号は、エンジンコントローラ１０５から出力され、ビデオインタフェース８０を介し、ビデオコントローラ１０３をスルーして、オプションコントローラ部１０６へ入力される。上記各信号の詳細は、図１７に示す通りである。
【０１６１】
図１７は、ビデオコントローラ（ＶＣ）１０３，エンジンコントローラ（ＥＣ）１０５とオプションコントローラ（ＯＣ）部１０６との間でやりとりされる信号を説明する図である。
【０１６２】
図１８は、図１３に示したビデオコントローラ１０３の構成を説明するブロック図であり、図１３と同一のものには同一の符号を付してある。
【０１６３】
図において、４０１はパネルインタフェース（Ｉ／Ｆ）部で、パネル部１０４とのデータ通信によって、操作者からの諸設定及び指示をパネル部１０４から受けとる。４０２はホストインタフェース（Ｉ／Ｆ）部で、ホストコンピュータ等の外部機器１０１との信号の入出力部である。４０６はエンジンインタフェース（Ｉ／Ｆ）部で、エンジンコントローラ１０５との信号の入出力部であり、不図示の出力バッファレジスタからデータ信号送出を行なうとともにエンジンコントローラ１０５との通信制御を行なう。
【０１６４】
４０３は画像データ発生部で、外部機器１０１より送られる制御コードデータに基づいて実際の印字のためのビットマップデータを発生する。４０５は画像メモリで、画像データを格納する。
【０１６５】
４０９はＣＰＵで、ビデオコントローラ１０３全体の制御を司る。４０４はＲＯＭで、ＣＰＵ４０９の制御コードを格納する。４０７はＲＡＭで、ＣＰＵ４０９の使用する一時記憶手段として機能する。４１０はＥＥＰＲＯＭで、不揮発性のメモリ媒体で構成される。
【０１６６】
４０８はＤＭＡ制御部で、ＣＰＵ４０９からの指示により画像メモリ４０５内のビットマップデータを、エンジンインタフェース部４０６に転送する。４１２は、オプションインタフェース（Ｉ／Ｆ）部であり、ＣＰＵ４０９からの指示に応じてオプションコントローラ部１０６との通信を行なう。また、ＰＯＵＴＴ信号９３、ＰＦＥＤＴ信号９４、ＳＰＣＮＧ信号９５をエンジンインタフェース部４０６からスルーで統括インタフェース９０に送る。
【０１６７】
４１１はシステムバスで、アドレスバス及びデータバスを持つ。パネルインタフェース部４０１、ホストインタフェース部４０２、画像データ発生部４０３、ＲＯＭ４０４、画像メモリ４０５、エンジンインタフェース部４０６、ＲＡＭ４０７、ＤＭＡ制御部４０８、ＣＰＵ４０９、ＥＥＰＲＯＭ４１０、オプションインタフェース部４１２は、各々システムバス４１１に接続され、システムバス４１１上にある全ての機能部にアクセス可能である。
【０１６８】
なお、ＣＰＵ４０９を制御する制御コードは、不図示のシステムクロックによってタスクと称されるロードモジュール単位で時分割制御するＯＳと、機能単位に動作する複数のロードモジュール（タスク）によって構成されるものとする。
【０１６９】
以上の構成により、ビデオコントローラ１０３は、給排紙口を複数有し、外部機器１０１から入力される印刷情報に基づいて記録媒体に画像を記録可能なプリンタ１０２に給送するあるいは排送する記録媒体のハンドリングを制御する。
【０１７０】
以下、図１９，図２０を参照して、ビデオコントローラ１０３がオプションコントローラ部１０６を通じて、各オプション装置を統括制御する制御方法を説明する。
【０１７１】
図１９は、図１３に示したオプションコントローラ部１０６内に設けられるＲＡＭに確保されるビデオコントローラ１０３との共有メモリの摸式図である。
【０１７２】
図１９に示す共有メモリは、ページ指定を行ない、用紙の搬送状況を知るための搬送状況管理エリア、各オプションの異常状態を知るための基本ステータス部、コマンドステータスのやりとりを行なうコマンドステータス部、オプション装置の立ち上げ処理を指定する立ち上げ処理部とから成る。
【０１７３】
立ち上げ処理部はビデオコントローラ１０３から指定を行なう立ち上げ指定部分と、指定を行なった結果、各オプションが処理を完了したことを通知する完了通知部分とから成る。
【０１７４】
ビデオコントローラ１０３が、この立ち上げ処理部に指定を行なうことにより各オプション類の立ち上げ処理を行なう。電源が投入されると、ビデオコントローラ１０３から、共有メモリの初期化指定、オプションコントローラ部１０６で必要な各オプションのコンフィグレーション情報取得指定、情報取得完了などを立ち上げ指定部分に知らせて、各処理が完了したかどうかを完了通知部分を監視し、全てが完了したら立ち上げ処理終了となる。
【０１７５】
搬送状況管理エリアは、給紙口、排紙口、カラー／モノクロ、ステイプル位置と実行などの印字方法を指定する部分と、用紙をどこまで給紙したか、プリント信号を出して良いか、排紙完了したかなどのオプションの状態を教えてもらう部分とから成る。ビデオコントローラ１０３が、上記印字方法を指定し、各オプションの状態を把握しながら、印字を実行していく。
【０１７６】
上記指定は最大４０ページ分の指定が可能であり、１ページごと順番に指定を行ない、排紙完了した領域は空き領域とみなし、再指定を行なえるように初期化して、リングバッファとして使用する。
【０１７７】
基本ステータス部は、各装置の異常状態を通知するエリアで、紙なし、紙サイズ不一致、ドアオープン、紙づまり、故障、満載、ステイプル針なし等の状態をこの領域から取得する。基本ステータスの内容から、更に詳細な情報をコマンドステータスによって取得する。
【０１７８】
コマンドステータス部は、各オプションの詳細情報取得及びオプションの動作制御を行なうための領域であり、この領域に必要に応じたコマンドを指定し、情報を取得する。例えば、取得可能な情報は、装置名称、給紙実装用紙サイズ、給紙用紙残量、紙づまりの位置、種類、アクセスポイント、排紙用紙の積載量、故障詳細などであり、これらは、後述する図２０に示すように、それぞれの状況に応じたコマンドを発行しステータスを受けとる。また省電力モードへ移行、紙づまり時の緊急停止、排紙ビンの移動、リセット実行などのオプションの制御もコマンドステータス部を使用して行なう。
【０１７９】
図２０は、本発明のデータ処理装置および画像記録装置を適用可能な画像記録システムの第３の処理手順を示すフローチャートであり、図１３に示したビデオコントローラ１０３が、基本ステータスを元にコマンドステータスを発行して入出力各オプションの詳細情報を取得する手順に対応し、図１８に示したビデオコントローラ１０３内のＣＰＵ４０９がＲＯＭ４０４に格納されたプログラムに基づいて実行する。なお、（ａ）は、入力装置の異常を発見した場合に対応し、（ｂ）は、出力装置の異常を発見した場合に対応する。また、Ｓ１０１〜Ｓ１０８，Ｓ１１１〜Ｓ１１７は各ステップを示す。
【０１８０】
まず、（ａ）に示すように、ビデオコントローラ１０３は、図１９に示した共有メモリの基本ステータス部により入力装置の異常を発見すると（Ｓ１０１）、コマンドステータス部にコマンドを指定し、異常装置（入力オプション装置を複数接続している場合は何れの入力装置であるか）を特定する（Ｓ１０２）。
【０１８１】
さらに、コマンドステータス部にコマンドを指定し、異常内容（紙なし、紙サイズ不一致、ドアオープン、紙づまり、故障等）を特定する（Ｓ１０３）。
【０１８２】
次に、特定された異常内容に応じたコマンドを指定し、例えば、紙なしの場合には、紙無しデッキの特定（Ｓ１０４）、及び紙無し要因の特定を行い（Ｓ１０５）、また紙づまりの場合には、紙づまり箇所の特定を行い（Ｓ１０６）、また故障の場合には故障箇所の特定を行う（Ｓ１０７）。
【０１８３】
そして、上記コマンドにより取得した異常内容を示すメッセージをパネル部１０４，操作部１０７ｂ，外部機器１０１の表示部等に表示する。
【０１８４】
また、（ｂ）に示すように、ビデオコントローラ１０３は、図１９に示した共有メモリの基本ステータス部により出力装置の異常を発見すると（Ｓ１１１）、コマンドステータス部にコマンドを指定し、異常装置（出力オプション装置を複数接続している場合は何れの出力装置であるか）を特定する（Ｓ１１２）。
【０１８５】
さらに、コマンドステータス部にコマンドを指定し、異常内容（満載、ステイプル針なし、ドアオープン、紙づまり、故障等）を特定する（Ｓ１１３）。
【０１８６】
次に、特定された異常内容に応じたコマンドを指定し、例えば、満載の場合には満載デッキの特定を行い（Ｓ１１４）、また紙づまりの場合には、紙づまり箇所の特定を行い（Ｓ１１５）、また故障の場合には故障箇所の特定を行う（Ｓ１１６）。
【０１８７】
そして、上記コマンドにより取得した異常内容を示すメッセージをパネル部１０４，操作部１０７ｂ，外部機器１０１の表示部等に表示する。
【０１８８】
このように、ビデオコントローラ１０３は上記情報を取得し、異常がない状態で印字を実行し、基本ステータスから異常発生を検知した場合は、異常箇所を特定するコマンドステータスを発行し、更にその装置に対して異常内容を特定し、その異常に応じた詳細な情報収集及び制御を行なっていく。
【０１８９】
図２１は、本発明のデータ処理装置および画像記録装置を適用可能な画像記録システムの第４の処理手順を示すフローチャートであり、図１３に示したビデオコントローラ１０３が、オプションコントローラ部１０６の共有メモリにアクセスを行ない各オプションとコマンドステータスのやりとりを行ない、情報交換する手順に対応し、図１８に示したビデオコントローラ１０３内のＣＰＵ４０９がＲＯＭ４０４に格納されたプログラムに基づいて実行する。なお、Ｓ２０１〜Ｓ２１１は各ステップを示す。
【０１９０】
オプション情報を獲得する場合、オプションコントローラ部１０６が持つメモリ内のコマンドステータス管理エリアへ指定を行ない、情報を受けとる。コマンド指定領域に、必要な情報の種類を識別するＩＤを所定のアドレスに指定し（Ｓ２０１）、実行コマンドでオプションコントローラ部１０６へ指定するデータ数を所定のアドレスに指定し（Ｓ２０２）、指定内容を表すデータを所定のアドレスに指定する（Ｓ２０３）。
【０１９１】
そして、コマンドを送信したことを通知し、オプションコントローラ部１０６が各オプション装置とやりとりを行ない情報を取得するためのトリガをかける（Ｓ２０４）。
【０１９２】
ステップＳ２０４によるトリガと指定内容を元に、オプションコントローラ部１０６は必要なオプション装置とシリアル通信を行ない、指定された情報を得る。一方、オプションコントローラ部１０６が完全に情報を得るまで、タイマーを起動し、ビデオコントローラ１０３がステータス情報を取得可能な状態であるかどうかを監視する（Ｓ２０５，Ｓ２０６）。
【０１９３】
ステップＳ２０５で一定時間経っても、ステップＳ２０６でステータス情報獲得可能状態に移行しない場合は、ステータス情報は獲得できないので、再度コマンド実行するようリトライ通知を行ない（Ｓ２１１）、処理を終了する。
【０１９４】
一方、ステップＳ２０５での一定時間経過前に、ステップＳ２０６でステータス情報獲得可能状態に移行したら、ステータスのＩＤを取得し、指定したコマンドに対するステータス情報かどうかを確認する（Ｓ２０７）。
【０１９５】
次にステータスデータ数を取得し（Ｓ２０８）、ステータスデータ数分のステータスデータを取得し（Ｓ２０９）、オプションコントローラ部１０６に対してステータス獲得完了を通知し（Ｓ２１０）、処理を終了する。
【０１９６】
以下、図２２〜図２５を参照して、図１３に示した外部機器１０１からオプションコントローラ部１０６及びエンジンコントローラ１０５までのデータフローについて説明する。
【０１９７】
図２２は、図１３に示した外部機器１０１からオプションコントローラ部１０６及びエンジンコントローラ１０５までのデータフローを示す図である。
【０１９８】
なお、図１８に示したビデオコントローラ１０３のＣＰＵ４０９を制御する制御コードは、不図示のシステムクロックによってタスクと称されるロードモジュール単位に時分割制御するＯＳと、機能単位に動作する複数のロードモジュール（タスク）によって構成されるものとする。
【０１９９】
図２２に示すトランスレータ処理システム（解析展開タスク１００１）、スケジューリングシステム（ページ操作タスク１００２）、エンジンＩ／Ｆシステム（エンジンＩ／Ｆタスク１００３）、オプションＩ／Ｆシステム（オプションＩ／Ｆタスク１００４）は、上述したようにＣＰＵ４０９を実体とするタスクであり、論理的に並行動作するものとする。
【０２００】
図２３は、図１８に示したＲＡＭ４０７に格納されるページテーブルの構造を示す図である。
【０２０１】
図において、１１００はページテーブルで、ページ単位の制御情報を格納する。このページテーブル１１００は、ＣＰＵ４００において、各ページを論理的に認識するためのテーブルであり、また、ページテーブル１１００は、「ページ番号」１１０１，「ラスタポインタ」１１０２，「状態フラグ」１１０３，……，「給紙モード」１１０４，「要求用紙サイズ」１１０５，「コピーページＩＤ」１１０６，「処理番号」１１０７，「排紙モード」１１０８，「識別名称」１１０９，「印刷部数」１１１０，「排紙口」１１１１等から構成され、実体は図１５に示したＲＡＭ４０７の不図示の制御情報格納領域に連続領域として存在し、不図示のページ管理機能部またはＣＰＵ４０９によって獲得、解放を管理される。
【０２０２】
ページテーブル１１００内の「ページ番号」１１０１は、ページを唯―に識別するためのＩＤである。「ラスタポインタ」１１０２は、図１５に示した画像メモリ４０５中の１ページ分の領域の先頭ポインタであり、ＣＰＵ４０９は電源投入の初期化時に、前記画像メモリ４０５中の不図示の該当領域をページ毎に分割してここにリンクする。
【０２０３】
また、「状態フラグ」１１０３は、ページの状態を示すフラグを格納する領域であり、図２３で示すようにページの展開終了／未終了を示す「展開終了フラグ」１１０３ａ，ページの指定終了／未終了を示す「ページ指定終了フラグ」１１０３ｂ，ページの印字開始／未開始を示す「印字開始フラグ」１１０３ｃ，ページの排紙終了／未終了を示す「排紙終了フラグ」１１０３ｄ，ページ情報展開領域の解放中／未解放中を示す「解放フラグ」１１０３ｅなどがあり、この状態フラグにより作成したページ情報がどういう状態にあるか判断することが可能である。
【０２０４】
さらに、「給紙モード」１１０４は、給紙手段の決定方法を指示するものであり、不図示の「自動給紙」，「カセット１（カセット２３０）給紙」，「ペーパデッキ（カセット１０７）給紙」，「ＭＰトレイ（手差用紙トレイ２０２）給紙」などがあり、「自動給紙」は、用紙サイズが一致し用紙が載置されている給紙手段から所定の優先順に従って検索し決定するモードである。
【０２０５】
また、「要求用紙サイズ」１１０５は、エンジンコントローラ１０５に対して給紙を依頼する用紙サイズの数値表現が格納される。
【０２０６】
さらに、「識別名称」１１０９には、排紙先の排紙口名称を表す文字列の示す数値が格納される。「印刷部数」１１１０には、印刷部数を示す数値が格納される。「排紙口」１１１１には、排紙先の排紙口を示す数値が格納される。
【０２０７】
図２４は、図１８に示したＲＡＭ４０７に格納されるエンジン状態テーブルの構造を示す図である。
【０２０８】
図において、１２００はエンジン状態テーブルで、ビデオコントローラ１０３において把握されているエンジンコントローラ１０５およびオプション（１０６，１０７，１０８）の状態を示すテーブルであり、「／ＲＤＹ状態」１２０１，「／ＣＣＲＴ状態」１２０２，……，「給紙段数」１２０３，「カセット１紙有無」１２０４，「カセット１紙サイズ」１２０５，「ペーパデッキ紙有無」１２０６，「ペーパデッキ紙サイズ」１２０７，「ＭＰトレイ紙有無」１２０８，「ＭＰトレイ紙サイズ」１２０９等により構成され、実際のエンジンコントローラ１０５およびオプション（１０６，１０７，１０８）の状態とは同一ではなく、任意のタイミングで所定の通信によってエンジンコントローラ１０５およびオプション（１０６，１０７，１０８）の状態を反映させ更新されるものである。
【０２０９】
例えば、「／ＲＤＹ状態」１２０１は、図１３に示した／ＲＤＹ信号の状態を反映するフラグであり、エンジンＩ／Ｆタスクが／ＲＤＹ信号の”ＦＡＬＳＥ”を検知している間”ＴＲＵＥ”にする。
【０２１０】
また、「／ＣＣＲＴ状態」１２０２は、図１３に示した／ＣＣＲＴ信号の状態を反映するフラグであり、エンジンＩ／Ｆタスクによって実際の／ＣＣＲＴ信号の状態が反映される。エンジンＩ／Ｆタスクが／ＣＣＲＴ信号の”ＴＲＵＥ”を検知し、エンジンコントローラ１０５の状態を所定のシリアル通信によって獲得することによって前記した通り／ＣＣＲＴ信号は”ＦＡＬＳＥ”となる。
【０２１１】
さらに、「給紙段数」１２０３は、オプションカセットユニットの装着等を反映し選択可能な給紙段数である。
【０２１２】
また、「カセット１紙有無」１２０４は、カセット２３０の用紙有無である。さらに、「カセット１紙サイズ」１２０５は、カセット２３０の不図示のダイヤルで設定された用紙サイズであり、操作者はダイヤル値と同一の用紙を載置しているという前提から、カセット２３０の用紙サイズとして認識される。
【０２１３】
また、「ペーパデッキ紙有無」１２０６は、カセット１０７の用紙有無である。「ペーパデッキ紙サイズ」１２０７は、給紙オプションカセット１０７の不図示の仕切り板で設定された用紙サイズであり、操作者は仕切り板の値と同一の用紙を載置しているという前提から、給紙オプションカセット１０７の用紙サイズとして認識される。
【０２１４】
「ＭＰトレイ紙有無」１２０８は、手差用トレイ２０２の用紙有無である。「ＭＰトレイ紙サイズ」１２０９は、手差用トレイ２０２の不図示のセンサにより検知された用紙サイズである。
【０２１５】
なお、図２３に示したページテーブルおよび図２４に示したエンジン状態テーブル（図２２中には不図示）の両テーブルとも解析展開タスク、ページ操作タスク、エンジンＩ／Ｆタスク、オプションＩ／Ｆタスクから参照・更新される。
【０２１６】
図２５は、図１８に示したＲＡＭ４０７に格納されるジョブ制御テーブルの構造を示す図である。
【０２１７】
図において、１３００はジョブ制御テーブルで、ジョブ毎の制御情報を格納するものであり、ＣＰＵ４０９において、ジョブを制御するためのテーブルである。このジョブ制御テーブル１３００は、「ジョブＩＤ」１３０１，「ジョブ完了状態」１３０２，「ジョブ名」１３０８，……，「ソート指定有無」１３０３，「使用可能ビン番号」１３０４，「ソートのコピー部数」１３０５，「オリジナルページ数」１３０６，「ページ数確定状態」１３０７，「ファイル名」１３０９等から構成され、実体は図１５に示したＲＡＭ４０７の不図示の制御情報格納領域に連続領域として存在し、ＣＰＵ４０９によって獲得、解放を管理される。
【０２１８】
ジョブテーブル１３００内の「ジョブＩＤ」１３０１は、ＣＰＵ４０９によって生成されたジョブを唯一に識別するためのＩＤを格納する。「ソートのコピー部数」１３０５は、前記ソート排紙モードにおけるソート部数が格納される。
【０２１９】
以下に、図２２のデータフローを説明する。
【０２２０】
図２２に示すように、外部機器１０１から入力される印字データ（制御コード、ＰＤＬ等）は、ホストインタフェース部４０２に所定のブロック単位に格納される。
【０２２１】
「解析展開タスク」１００１は、ホストＩ／Ｆ部４０２にデータを検出すると、図２３に示したページテーブル１１００を獲得する。そして上記１ブロック単位にデータを解析し、画像形成情報（ＰＤＬの図形描画命令、文字コード等）に関しては図１８に示した画像データ発生部４０３を用いて、あるいはＣＰＵ４０９自身でイメージ展開を行ない、図２３に示したページテーブル１１００の「ラスタポインタ」１１０２で示される領域に格納する。
【０２２２】
また、プリンタに対しての制御情報（コピー枚数、給紙選択等）に関しては図２３に示したページテーブル１１００に格納する。１ページ分のデータを解析展開終了した後に、「状態フラグ」内の「展開終了フラグ」をＴＲＵＥにして、ＦＩＦＯ構造のページキュー（例えば、画像メモリ４０５又はＥＥＰＲＯＭ４１０内に設けられる）にエンキューする。
【０２２３】
「ページ操作タスク」１００２は、図２５に示したジョブ制御テーブル１２００を参照し、上述したページキュー中の全てのページテーブル１１００内の「状態フラグ」１１０３を同時監視し、状態に応じて搬送手順を変更して印字を実現する。
【０２２４】
この際、オプションＩ／Ｆ部４１２により給紙手段、排紙手段、印刷モード等の印字指定を行なうとともに、エシジンＩ／Ｆ部４０６によって、給紙手段等の設定をエンジンコントローラ１０５に対して実際に行なう。「排紙終了フラグ」１１０３ｃがＴＲＵＥとなったページテーブル１１００はページキューからデキューされ、図示しないページ管理機能部に戻される。
【０２２５】
「エンジンＩ／Ｆタスク」１００３及び「オプションＩ／Ｆタスク」１００４は、それぞれ、エンジンＩ／Ｆ部４０６、オプションＩ／Ｆ部４１２を介してエンジンコントローラ１０５及びオプションコントローラ部１０６と所定の周期で通信を行ない、ページの状態が変化する要因が発生すると、上述の「状態フラグ」１１０３を更新する。
【０２２６】
また、／ＲＤＹ信号の変化を監視し、ＴＲＵＥ→ＦＡＬＳＥの変化に対しては、プリンタの状態をエラー発生中とするとともにエラーの解除を監視する。さらに、／ＲＤＹ信号、及び／ＣＣＲＴ信号など、状態の変化を監視し、上述した（手順１）及び（手順２）を実行し、図１２に示した「エンジン状態テーブル」１２００を更新する。
【０２２７】
パネル部１０４からの動作モード指定（コピー枚数、給紙選択等）は、パネルＩ／Ｆ部４０１に―旦格納される。不図示のプリンタ制御タスクは、適当な間隔によってパネルＩ／Ｆ部４０１を巡回監視し、データが存在するとＥＥＰＲＯＭ４１０に格納し、同時に制御情報としてＲＡＭ４０７の不図示の制御情報格納領域に格納する。ＥＥＰＲＯＭ４１０に格納することによって、プリンタの電源を一旦ＯＦＦした後でも、ユーザの所望のモードによってプリンタを動作させることが可能となる。
【０２２８】
以下、図２６を参照して、画像記録装置１０２がホストコンピュータ等の外部機器より印刷データを受信し印刷完了するまでの処理について説明する。
【０２２９】
図２６は、本発明のデータ処理装置および画像記録装置を適用可能な画像記録システムの第５の制御処理手順を示すフローチャートであり、画像記録装置１０２がホストコンピュータ等の外部機器１０１より印刷データを受信し印刷完了するまでの処理に対応し、図１８に示したＣＰＵ４０９がＲＯＭ４０４又は図示しないその他の記憶媒体に格納されたプログラムに基づいて実行する。なお、Ｓ５０１〜Ｓ５１８は各ステップを示す。
【０２３０】
まず、ステップＳ５０１において、ホストコンピュータ等の外部機器１０１から送られたデータ（制御情報と描画情報等を含む印刷ジョブ）を解析する。この時、ＣＰＵ４０９は、受信した印刷ジョブの切れ目を検出し、ジョブ毎に解析可能である。ステップＳ５０２において、印刷データの制御情報（属性情報）より、この印刷ジョブで印刷する総ページ数（指定された各排紙口名称毎の印刷部数の総計）だけページテーブル１１００を作成し、制御情報（属性情報）をメモリ（ＲＡＭ４０７）へ格納するとともに、描画情報（ＰＤＬデータ）をメモリ（ＲＡＭ４０７）へ展開格納する。
【０２３１】
ここで、このページテーブル１１００には、印刷データの制御情報（属性情報）として指定された属性のみが格納される（ページテーブル１１００の「識別名称」１１０９には排紙口名称を表す文字列が格納される）。
【０２３２】
次に、ステップＳ５０３において、メモリに格納された制御情報から排紙モードが自動指定かどうかを判断し、自動指定でないと判断された場合は、ステップＳ５１２において、固定時の処理として制御情報に基づき固定的に指定された排紙口を選択し、ステップＳ５１４に進む。
【０２３３】
一方、ステップＳ５０３で、制御情報から排紙モードが自動指定であると判断された場合は、ステップＳ５０４において、ユーザセパレート自動が指定されているかどうかを判断し、ユーザセパレート自動が指定されていると判断された場合は、ステップＳ５０５において、ユーザセパレート自動指定時の検索処理（後述する図２７に示す）を行い、ステップＳ５１４に進む。
【０２３４】
一方、ステップＳ５０４でユーザセパレート自動が指定されていないと判断された場合は、ステップＳ５０６において、ユーザセパレート固定が指定されているかどうかを判断し、ユーザセパレート固定が指定されていると判断された場合は、ステップＳ５０７において、ユーザセパレート固定指定時の検索処理（後述する図２８に示す）を行い、ステップＳ５１４に進む。
【０２３５】
一方、ステップＳ５０６でユーザセパレート固定が指定されていないと判断された場合は、ステップＳ５０８において、ソートが指定されているかどうかを判断し、ソートが指定されていると判断された場合は、ステップＳ５０９において、ソート指定時の検索処理（後述する図２９に示す）を行い、ステップＳ５１４に進む。
【０２３６】
一方、ステップＳ５０８でソートが指定されていないと判断された場合は、ステップＳ５１０において、スタックが指定されているかどうかを判断し、スタックが指定されていると判断された場合は、ステップＳ５１１において、スタック指定時の検索処理（後述する図３０に示す）を行い、ステップＳ５１４に進む。
【０２３７】
一方、ステップＳ５１０でスタックが指定されていないと判断された場合は、ステップＳ５１３において、不正指定時の検索処理を行い、ステップＳ５１４に進む。
【０２３８】
次に、ステップＳ５１４において、ＥＥＰＲＯＭ４１０内に格納された積載状態等のチェックや図示しない各センサ等をチェックして、満載等の異常なしかどうかを判断し、異常なしと判断された場合は、ステップＳ５１５において、エンジン制御処理（印刷処理）を実行し、印刷ジョブの排紙が全て終了したら、印刷ジョブで指定されている識別名称の排紙ビンをホストコンピュータに送信し、図９に示したようにホストコンピュータのＵＩ上に現在排紙を行ったビンをユーザに通知（および／または図１３に示したパネル部１０４の表示部に表示）して、印刷処理を終了する。なお、ユーザセパレート自動が指定されている場合の印刷処理では、後述する図２７示すユーザセパレート自動検索処理により決定された各排紙口にそれぞれ決定された部数の印刷排紙処理を行う。
【０２３９】
一方、ステップＳ５１４において、異常あり（例えば、満載等の異常がある、満載表示を行うための情報が図１８に示したＥＥＰＲＯＭ４１０等に格納されている）と判断された場合は、ステップＳ５１６において、異常の内容に応じたエラー表示（例えばＥＥＰＲＯＭ４１０に格納されている満載表示情報）を画像記録装置１０２のパネル部１０４に行うとともに、ホストコンピュータ１０１に、異常の内容およびエラー表示のイベントを通知し、ステップＳ５１７において、ユーザのオペレーションにより異常が解除されるのを待って、異常が解除されたと判断されたら、ステップＳ５１８において、パネル部１０４のエラー表示を解除するとともに、ホストコンピュータ１０１に、エラー表示解除のイベントを通知し、ステップＳ５０３の処理から再度行い、リカバリ処理に入る。
【０２４０】
以上のようなユーザセパレート自動の検索処理Ｓ５０５を含むステップＳ５０３〜ステップＳ５１３の一連の検索処理及びそれ以降の処理は、ステップＳ５０２で予め印刷データに指定された排紙口名称毎に部数のページテーブル１１００を作成し、そのページテーブル数分繰り返し行われるものとする。
【０２４１】
以下、図２７を参照して、ユーザセパレート自動時の排紙口検索処理について説明する。
【０２４２】
図２７は、本発明のデータ処理装置および画像記録装置を適用可能な画像記録システムの第６の制御処理手順を示すフローチャートであり、ユーザセパレート自動時の排紙口検索処理（図２６のステップＳ５０５のユーザセパレート自動指定時の検索処理）に対応し、図１８に示したＣＰＵ４０９がＲＯＭ４０４又は図示しないその他の記憶媒体に格納されたプログラムに基づいて実行する。なお、Ｓ６０１〜Ｓ６１３は各ステップを示す。
【０２４３】
ユーザセパレート自動の検索処理が開始されたら、まずステップＳ６０１において、印刷データにおいて指定されている識別名称と同一名称の排紙ビンを検索し、図１５に示したＥＥＰＲＯＭ４１０に登録された同一名称の排紙ビンが存在する場合は、そのビンを仮決定ビンとする。なお、この時、優先順位の低いビンから検索し、複数存在する場合、最も優先順位の低いビン（最後に登録を行った同一名称の排紙ビン）を１つ選択するものとする。
【０２４４】
次に、ステップＳ６０２において、ステップＳ６０１の検索結果、即ち印刷データにおいて指定されている識別名称と同一名称の排紙ビンがあるか否かを判定し、同一の排紙ビンがあると判定された場合は、ステップＳ６０３において、そのビンが満載であるか否かを図１８に示したＥＥＰＲＯＭ４１０に格納された排紙ビンの積載状態に基づいて判定し、満載でないと判定された場合は、ステップＳ６０４において、ステップＳ６０１で検索した仮決定ビンを正式ビンとして決定（選択）、即ちその識別名称のページテーブル１１００内の「排紙口」１１１１に選択した排紙口を表す数値を格納し、排紙を行う。
【０２４５】
一方、ステップＳ６０３で印刷データにおいて指定されている識別名称と同一名称の排紙ビンが満載であると判定された場合は、ステップＳ６０５において、ステップＳ６０１で検索した仮決定ビンの次の優先順位のビン（ステップＳ６０１で検索した仮決定ビンと連続するビン）が空かどうかを図１８に示したＥＥＰＲＯＭ４１０に格納された排紙ビンの積載状態又は図１９に示した共有メモリに基づいてチェックし、ステップＳ６０６においてそのビンが空でないと判定された場合は、ユーザセパレート自動モードにおける排紙は不可能であるので、ユーザ新たなビン登録は行わず、ステップＳ６１４に進む。
【０２４６】
次に、ステップＳ６１４において、図２６のステップＳ５１６において満載表示を行うための情報を図１８に示したＥＥＰＲＯＭ４１０に格納（指定名称ビンの中の満載ビンを記憶）し、ステップＳ６０４に進む。ユーザセパレート自動モードにおいて、用紙取り除きを要求するビンは、指定識別名称の中の満載ビンであり、自分自身の用紙を全て取り除くようユーザに通知する。
【０２４７】
次に、ステップＳ６０４において、ステップＳ６０１で検索した仮決定ビンを正式ビンとして決定（選択）、即ちその識別名称のページテーブル１１００内の「排紙口」１１１１に選択した排紙口を表す数値を格納する。
【０２４８】
一方、ステップＳ６０６において、ステップＳ６０１で検索した仮決定ビンの次の優先順位のビンが空あると判定された場合は、ステップＳ６０７において、ステップＳ６０１で検索した仮決定ビンの次の優先順位のビンを正式ビンとして決定（選択）、即ちその識別名称のページテーブル１１００内の「排紙口」１１１１に選択した排紙口を表す数値を格納し、ステップＳ６０８において、そのビンのビン名称として印刷データに指定された識別名称を図１８に示したＥＥＰＲＯＭ４１０に登録する。
【０２４９】
一方、ステップＳ６０２において、ステップＳ６０１の検索結果、印刷データにおいて指定されている識別名称と同一名称の排紙ビンがないと判定された場合は、ステップＳ６０９において、最優先ビンから空のビンを図１８に示したＥＥＰＲＯＭ４１０に格納された排紙ビンの積載状態又は図１９に示した共有メモリに基づいて検索し、ステップＳ６１０において、ステップＳ６０９の検索結果、空のビンがあるか否かを判定し、空のビンがあると判定された場合は、ステップＳ６１１において、空きビンの中で最優先ビンを正式ビンとして決定し、ステップＳ６１２において、そのビンのビン名称として印刷データに指定された識別名称を図１８に示したＥＥＰＲＯＭ４１０に登録する。
【０２５０】
一方、ステップＳ６１０において、ステップＳ６０９の検索結果、空のビンがないと判定された場合は、既に別のユーザが全てビンを使用中であり新たに割り当てるビンが無い状態であるので、ステップＳ６１３において、指定通り出力を行えない場合に排紙を行うためのエスケープビンを正式ビンとして決定し、検索処理を終了する。なお、本実施形態では、ユーザセパレート自動における排紙口の優先順位は、より上段のビンがより優先順位が高いビンであるとするが、より下段のビンをより優先順位が高いビンとしてもよい。
【０２５１】
また、本実施形態では、識別名称をＥＥＰＲＯＭ４１０に登録する場合について説明したが、ＲＡＭ４０７に登録するように構成してもよい。
【０２５２】
以下、図２８を参照して、ユーザセパレート固定時の排紙口検索処理について説明する。
【０２５３】
図２８は、本発明のデータ処理装置および画像記録装置を適用可能な画像記録システムの第７の制御処理手順を示すフローチャートであり、図２６のステップＳ５０７に示したユーザセパレート固定時の排紙口検索処理に対応し、図１８に示したＣＰＵ４０９がＲＯＭ４０４又は図示しないその他の記憶媒体に格納されたプログラムに基づいて実行する。なお、Ｓ７０１〜Ｓ７０７は各ステップを示す。
【０２５４】
ユーザセパレート固定の検索処理が開始したら、まず、ステップＳ７０１において、予め制御情報（属性情報）が格納されているページテーブル１１００より、排紙口名称（「識別名称」１１０９）を取り出す。
【０２５５】
ステップＳ７０２において、ステップＳ７０１で取り出した指定排紙口名称（識別名称）と各排紙口に登録されている排紙口名称（ＥＥＰＲＯＭ４１０に格納されている）と比較により同一の排紙口名称があるかどうか判断する。
【０２５６】
ステップＳ７０２で同一の排紙口名称が存在すると判断された場合は、ステップＳ７０３において、現在参照しているページテーブルのページに対してその名称で登録されている排紙口を指定印刷データの排紙口として決定（指定）し、即ちその識別名称のページテーブル１１００内の「排紙口」１１１１に選択した排紙口を表す数値を格納し、ステップＳ７０５の処理に進む。
【０２５７】
一方、ステップＳ７０２で同一の排紙口名称が存在しないと判断された場合は、ステップＳ７０４において、不正指定時の検索処理として、現在参照しているページテーブルのページに対してエスケープ用の排紙口を指定印刷データの排紙口に決定（指定）する、即ちその識別名称のページテーブル１１００内の「排紙口」１１１１に選択した排紙口を表す数値を格納する）等の処理を行い、ステップＳ７０５の処理に進む。
【０２５８】
次に、ステップＳ７０５において、ステップＳ７０３又はステップＳ７０４で決定された排紙口が満載であるか否かを図１８に示したＥＥＰＲＯＭ４１０に格納された排紙ビンの積載状態に基づいて判定し、満載でないと判定された場合は、そのままステップＳ７０７に進む。
【０２５９】
一方、ステップＳ７０５において、ステップＳ７０３又はステップＳ７０４で決定された排紙口が満載であると判定された場合は、ユーザセパレート固定モードにおける排紙は不可能であるので、ステップＳ７０６において、図２６のステップＳ５１６において満載表示を行うための情報を図１８に示したＥＥＰＲＯＭ４１０に格納（指定名称ビンの中の満載ビンを記憶）し、ステップＳ７０７に進む。ユーザセパレート固定モードにおいては、用紙取り除きを要求するビンは指定識別名称の中の満載ビンであり、ユーザが印刷を行ったことで満載になってしまったビンの用紙を全て取り除くようユーザに通知する。
【０２６０】
次に、ステップＳ７０７において、各ページテーブル１１００に他に印刷データに指定されている排紙口名称があるかどうかを判断し、ないと判断された場合は、メールボックス排紙の検索処理を終了し、あると判断された場合は、ステップＳ７０１に戻り、ステップＳ７０１〜Ｓ７０５の処理を繰り返す。即ち、図２６のステップＳ５０２で作成された各ページテーブルに格納された識別名称と予め排紙口に登録されている排紙口名称とが合致した排紙口に排紙を行う。
【０２６１】
以下、図２９を参照して、ソート時の排紙口検索処理について説明する。
【０２６２】
図２９は、本発明のデータ処理装置および画像記録装置を適用可能な画像記録システムの第８の制御処理手順を示すフローチャートであり、図２６のステップＳ５０９に示したソート時の排紙口検索処理に対応し、図１８に示したＣＰＵ４０９がＲＯＭ４０４又は図示しないその他の記憶媒体に格納されたプログラムに基づいて実行する。なお、Ｓ８０１〜Ｓ８１０は各ステップを示す。
【０２６３】
ソートの検索処理が開始されたら、まず、ステップＳ８０１において、排紙ビンに積載されている用紙をユーザに取り除かせるかどうかのチェックを行う。即ち、排紙口の用紙に用紙が積載されているか判定し、積載されている場合、排紙口の用紙を取り除くようメッセージをパネル部１０４，操作部１０７ｂ等に表示（この時、ホストコンピュータ１０１にも用紙取り除きをユーザに促すよう通知し、画面に表示を行うようにしてもよい）し、用紙が取り除かれたら、表示したメッセージを消す。ソートの場合は各ジョブ毎に確実に混載を避ける必要があるので、前回ジョブの排紙モードが何であろうと、ソートビンに用紙が積載されている場合は用紙取り除きのメッセージをパネル部１０４，操作部１０７ｂ，ホストコンピュータ１０１の表示部等に表示するように動作する。なお、ステップＳ８０１において、後述する図３１に示す用紙取り除きチェック処理（排紙ビンに積載されている用紙をユーザに取り除かせるかどうかのチェック）を行うようにし、前回ジョブと排紙モードが切り替わった場合のみ用紙取り除きのメッセージを表示するように構成してもよい。
【０２６４】
次にステップＳ８０２において、最優先口を排紙口として選択し、即ちページテーブル１１００内の「排紙口」１１１１に選択した排紙口を表す数値を格納し、ステップＳ８０３において、印刷ジョブに指定されている指定コピー部数をメモリ領域Ｃへ代入し記憶する。
【０２６５】
ステップＳ８０４において、Ｃが「１」（Ｃ＝「１」）かどうかを判断し、Ｃが「１」でない（Ｃ＞１）と判断された場合は、ステップＳ８０５において、次の優先口が保有ビンの範囲内かどうかを判断する。
【０２６６】
ステップＳ８０５で次の優先口が保有ビンの範囲内と判断された場合は、ステップＳ８０６において、その排紙口を排紙口として選択し、即ちページテーブル１１００内の「排紙口」１１１１に選択した排紙口を表す数値を格納する。
【０２６７】
一方、ステップＳ８０５において、例えば７ビンのソートビンを持つ画像記録装置に１０部のソート指定した場合のように、次の優先口が保有ビンの範囲を越えてしまったと判断された場合は、ステップＳ８０８において、エスケープビンを排紙口に選択し、即ちページテーブル１１００内の「排紙口」１１１１に選択した排紙口を表す数値を格納し、ステップＳ８０７の処理に進む。
【０２６８】
次に、ステップＳ８０７において、メモリ領域にコピーしたＣの値をデクリメントし、ステップＳ８０９において、ステップＳ８０６又はステップＳ８０８で決定された排紙口が満載であるか否かを図１８に示したＥＥＰＲＯＭ４１０に格納された排紙ビンの積載状態に基づいて判定し、満載でないと判定された場合は、そのままステップＳ８０４の処理に戻り、一方、満載であると判定された場合は、ソートモードにおける排紙は不可能であるので、ステップＳ８１０において、図２６のステップＳ５１６において満載表示を行うための情報を図１８に示したＥＥＰＲＯＭ４１０に格納（ソート指定ビンの中の満載ビンを記憶）し、Ｓ８０４の処理に戻る。ソートモードにおいては、用紙取り除きを要求するビンはソート指定ビンの中の満載ビンであり、ユーザが印刷を行ったことで満載になってしまったビンの用紙を全て取り除くようユーザに通知する。
【０２６９】
一方、ステップＳ８０４において、Ｃが「１」（Ｃ＝「１」）と判断された場合は、ソート指定分の排紙選択は完了し、処理を終了する。
【０２７０】
なお、不図示であるが、プリンタ１０２がハードディスクや大容量メモリを搭載している場合は、受信データを蓄え、保有ビン数分のコピー指定を繰り返し処理することによって大量部数のソートも実現可能である。
【０２７１】
以下、図３０を参照して、スタック時の排紙口検索処理について説明する。
【０２７２】
図３０は、本発明のデータ処理装置および画像記録装置を適用可能な画像記録システムの第９の制御処理手順を示すフローチャートであり、図２６のステップＳ５１１に示したスタック時の排紙口検索処理に対応し、図１８に示したＣＰＵ４０９がＲＯＭ４０４又は図示しないその他の記憶媒体に格納されたプログラムに基づいて実行する。なお、Ｓ９０１〜Ｓ９１２は各ステップを示す。
【０２７３】
スタックの検索処理が開始されたら、まず、ステップＳ９０１において、後述する図２８に示す用紙取り除きチェック処理（排紙ビンに積載されている用紙をユーザに取り除かせるかどうかのチェック）を行う。
【０２７４】
次に、ステップＳ９０２において、ステップＳ９０１の用紙取り除きチェック処理で用紙取り除き要求を実行したかどうかを判断し、実行したと判断された場合には、ステップＳ９０３において、カレント排紙口を最優先口に更新し、ステップＳ９０４に進む。
【０２７５】
一方、ステップＳ９０２において、ステップＳ９０１の用紙取り除きチェック処理で用紙取り除き要求を実行していないと判断された場合には、排紙モードの変更はないものとしてカレント排紙口はそのまま維持し、ステップＳ９０４に進む。
【０２７６】
スタックの場合は、ソートの場合とは異なり、必ずしもジョブ毎に完全に混載を防ぐ必要は無いので、前回ジョブと排紙モードが切り替わった場合のみ用紙取り除きのメッセージをパネル部１０４，操作部１０７ｂ，ホストコンピュータ１０１の表示部等に表示し、排紙モードが切り替わらない場合はメッセージ表示を行わず、前回ジョブの上に次のジョブを積載していく。
【０２７７】
次にステップＳ９０４において、カレント排紙口の積載量をチェックし、ステップＳ９０５において、カレント排紙口が満載か否かを判定し、満載でないと判定された場合は、ステップＳ９０６において、カレント排紙口をそのページの排紙口として決定し、即ちページテーブル１１００内の「排紙口」１１１１に選択した排紙口を表す数値を格納し、処理を終了する。
【０２７８】
一方、ステップＳ９０５において、カレント排紙口が満載であると判定された場合は、ステップＳ９０７において、カレント排紙口を次の優先順位の排紙口に更新し、ステップＳ９０８において、その排紙口（カレント排紙口）に用紙が積載されているか否かを判定する。
【０２７９】
ステップＳ９０８でカレント排紙口に用紙が積載されていると判定された場合は、ステップＳ９０９において、カレント排紙口が満載であるか否かを図１８に示したＥＥＰＲＯＭ４１０に格納された排紙ビンの積載状態に基づいて判定する。
【０２８０】
ステップＳ９０９でカレント排紙口が満載でないと判定された場合は、ステップＳ９１１において、スタック排紙においてジョブの順番が狂わないようその排紙口の用紙を取り除くようメッセージをパネル部１０４，操作部１０７ｂ等に表示し、ステップＳ９０８の処理を繰り返す。この時、ホストコンピュータ１０１にも用紙取り除きをユーザに促すよう通知し、画面に表示を行うようにしてもよい。
【０２８１】
一方、ステップＳ９０９でカレント排紙口が満載であると判定された場合は、スタック排紙で使用したビンが一巡したことになり全ビン満載状態であり、スタックモードにおける排紙は不可能であるので、ステップＳ９１２において、図２６のステップＳ５１６において満載表示を行うための情報を図１８に示したＥＥＰＲＯＭ４１０に格納（スタック指定ビンの中の満載ビンを記憶）し、ステップＳ９０６に進む。スタックモードにおいては、用紙取り除きを要求するビンは用紙が積載されている全ビンであり、スタックに使用中である全ビンの用紙を全て取り除くようユーザに通知する。この時、ホストコンピュータにも用紙取り除きをユーザに促すよう通知し、画面に表示を行うようにしてもよい。
【０２８２】
一方、ステップＳ９０８でカレント排紙口に用紙が積載されていないと判定された場合（ユーザが用紙を取り除いた場合）は、ステップＳ９１０において、ステップＳ９１１でメッセージ表示を行った場合は、用紙取り除きの表示（パネル部１０４，操作部１０７ｂ，ホストコンピュータ１０１の表示）を消し、ステップＳ９０６において、カレント排紙口をそのページの排紙口として決定し、即ちページテーブル１１００内の「排紙口」１１１１に選択した排紙口を表す数値を格納し、処理を終了する。
【０２８３】
なお、本実施形態では、スタックにおける排紙口の優先順位は、より下段のビンがより優先順位が高いビンであるとしても、より上段のビンをより優先順位が高いビンであるとしてもよい。
【０２８４】
以下、図３１を参照して、用紙取り除きのチェック処理について説明する。
【０２８５】
図３１は、本発明のデータ処理装置および画像記録装置を適用可能な画像記録システムの第１０の制御処理手順を示すフローチャートであり、図２９のステップＳ８０１，図３０のステップＳ９０１に示した用紙取り除きのチェック処理に対応し、図１８に示したＣＰＵ４０９がＲＯＭ４０４又は図示しないその他の記憶媒体に格納されたプログラムに基づいて実行する。なお、Ｓ１００１〜Ｓ１００３は各ステップを示す。
【０２８６】
用紙取り除きのチェック処理が開始されたら、まず、ステップＳ１００１において、カレントのジョブの排紙モードが前回のジョブの排紙モードと同じか、排紙モードが切り替わったかどうかを判定する。なお、前回のジョブで実際に印刷処理を行った排紙モードは、前回の印刷ジョブの処理時に図１５に示したＲＡＭ４０７又はＥＥＰＲＯＭ４１０内に格納されているものとする。
【０２８７】
ステップＳ１００１で、カレントのジョブの排紙モードが前回のジョブの排紙モードと異なる（排紙モードが切り替わった）と判定された場合は、ステップＳ１００２において、排紙口の用紙を取り除くようメッセージをパネル部１０４，操作部１０７ｂ等に表示する。この時、ホストコンピュータ１０１にも用紙取り除きをユーザに促すよう通知し、画面に表示を行うようにしてもよい。また、ここで、排紙ビンの用紙積載量を検知し、排紙ビンに用紙が積載されていない場合には、メッセージを表示しないように構成してもよい。
【０２８８】
次にステップＳ１００３において、用紙の取り除きが完了するまで待機し、用紙が取り除かれたら、ステップＳ１００２で表示したメッセージを消し、処理を終了する。
【０２８９】
一方、ステップＳ１００１で、カレントのジョブの排紙モードが前回のジョブの排紙モードと同じ（排紙モードが切り替わっていない）と判定された場合は、そのまま処理を終了する。
【０２９０】
以下、図３２を参照して、排紙口情報更新処理について説明する。
【０２９１】
図３２は、本発明のデータ処理装置および画像記録装置を適用可能な画像記録システムの第１１の制御処理手順を示すフローチャートであり、排紙ビンの情報更新を行う処理に対応し、図１８に示したＣＰＵ４０９がＲＯＭ４０４又は図示しないその他の記憶媒体に格納されたプログラムに基づいて実行する。なお、Ｓ１１０１〜Ｓ１１１０は各ステップを示す。
【０２９２】
排紙口の状態は、一定周期間隔で状態変化するステータス情報（オプションコントローラ部１０６の共有メモリ（図１９）にアクセスを行ないオプションとコマンドステータスのやりとりを行なってステータス情報）を取得し、更新を行う（図１８に示したＥＥＰＲＯＭ４１０内に格納する）。
【０２９３】
まず、ステップＳ１１０１において、各排紙ビンの積載量（状態）に変化があるかどうかを図１９に示した共有メモリを参照して判断し、排紙ビンの積載量に変化があると判定された場合は、ステップＳ１１０２において、図１８に示したＥＥＰＲＯＭ４１０に格納された排紙ビンの積載状態（状態変化のあった排紙ビンの積載状態）を更新し、ステップＳ１１０３に進む。なお、図２７，図２８，図２９，図３０における満載の検知については、このステップＳ１１０２で更新された積載状態に基づいて判断を行うものとする。
【０２９４】
一方、ステップＳ１１０１で各排紙ビンの積載量に変化がないと判定された場合は、そのままステップＳ１１０３に進む。
【０２９５】
次に、ステップＳ１１０３において、積載量がゼロになった排紙ビンがあるか否かを判定し、積載量がゼロになった排紙ビンがあると判定された場合は、ステップＳ１１０４において、図２７に示したユーザセパレート自動検索処理時に図１５に示したＥＥＰＲＯＭ４１０に登録したそのビンの識別名称を削除し、空きビン状態とし、ステップＳ１１０５に進む。
【０２９６】
一方、ステップＳ１１０３で積載量がゼロになった排紙ビンがないと判定された場合は、そのままステップＳ１１０５に進む。
【０２９７】
次に、ステップＳ１１０５において、全ビン使用中かどうかを判定し、全ビン使用中であると判定された場合は、ステップＳ１１０６において、”ゼンビンシヨウチュウデス（全ビン使用中のため、仕分け印刷できません。）”等のウォーニング表示（警告メッセージ表示）を図１３に示したパネル部１０４に行い、ステップＳ１１０８に進む。
【０２９８】
一方、ステップＳ１１０５において、全ビン使用中でない、即ち使用していないビンがあると判定された場合は、ステップＳ１１０７において、図１３に示したパネル部１０４のウォーニング表示を解除し、ステップＳ１１０８に進む。
【０２９９】
次に、ステップＳ１１０８において、ステップＳ１１０６又はＳ１１０７でウォーニング表示又は解除を行い状態変化があったか否かを判定し、状態変化があったと判定された場合は、ステップＳ１１０９において、ホストコンピュータへ状態変化（”ゼンビンシヨウチュウデス”等のウォーニング表示を新たに行った／解除した）を通知し、ステップＳ１１１０に進む。
【０３００】
一方、ステップＳ１１０８において、ステップＳ１１０６又はＳ１１０７でウォーニング表示又は解除を行い状態変化がなかったと判定された場合は、そのままステップＳ１１１０に進む。
【０３０１】
その後、ステップＳ１１１０において、一定時間ウエイトし、ステップＳ１１０１の処理を繰り返す。
【０３０２】
以上の処理により、排紙ビンの名称登録状態を元に、排紙ビンの登録削除を動的（Ｄｙｎａｍｉｃ）に行いながら印刷処理を行ない、識別名称による仕分けを実現する。
【０３０３】
以下、図３３を参照して、ホストコンピュータ１０１上でのプリンタ状態を示す情報及び表示の更新を行う処理手順について説明する。
【０３０４】
図３３は、本発明のデータ処理装置および画像記録装置を適用可能な画像記録システムの第１２の制御処理手順を示すフローチャートであり、ホストコンピュータ上でのプリンタ状態を示す情報及び表示の更新を行う処理に対応し、図９に示したホストコンピュータ１０１のＣＰＵ１がＲＯＭ又はその他の記憶媒体に格納されたプログラムに基づいて実行する。なお、Ｓ１２０１〜Ｓ１２０３は各ステップを示す。
【０３０５】
まず、ステップＳ１２０１において、イベント通知（図２６のステップＳ５１５における排紙を行ったビンの通知，ステップＳ５１６におけるエラー表示の通知，ステップＳ５１８におけるエラー表示解除の通知，図３１のステップＳ１００２における用紙取り除きのメッセージ表示の通知，図３２のステップＳ１１０９におけるウォーニング状態変化通知等）があるまで待機し、プリンタの状態が変化して、イベント通知があったと判断された場合は、通知されたイベントを受け取り、ステップＳ１２０２において、その内容（排紙を行ったビンの通知，エラー表示の通知，エラー表示解除通知等）を解析する。
【０３０６】
次に、ステップＳ１２０３において、解析した結果その内容に基づいて通知内容の表示又は表示解除を行い、プリンタの状態変化をユーザに知らせる。
【０３０７】
例えば、ユーザセパレート自動モードでは、動的に排紙ビンを割り振るので、印刷を行うまで、ユーザにはどのビンに排紙が行われたかは分からない。そのため、印刷ジョブ終了時に、そのジョブで指定された識別名称が登録されているビン情報をホストコンピュータヘ通知し、「あなたが使用しているビンはビン１からビン３です。」あるいは「全ビン使用中のため、仕分け印刷できません。」，図５に示した「用紙をとってください。ビン１〜ビン４」，図６に示した「用紙をとってください。ビン１、ビン７」，図７に示した「用紙をとってください。ビン１〜ビン５」，図８に示した「用紙をとってください。ビン１〜ビン７」の様なメッセージを図９に示したＣＲＴ１０に表示してビン使用状況等の排紙ビン情報をユーザに知らせる。
【０３０８】
なお、本実施形態において、ＥＥＰＲＯＭ４１０に格納した各種データをＲＡＭ４０７に格納するように構成してもよい。
【０３０９】
〔第２実施形態〕
上記第１実施形態においては、ソート及びスタックの満載は全てのビンの全ての用紙を取り除くようにしたが、複数ある排紙ビンの一部分をソート、一部分をユーザセパレートといった具合に、複数の排紙モードを同時に運用するようにした場合、各排紙モードで使用しているビンの範囲内の全ての用紙を取り除くように構成してもよい。
【０３１０】
〔第３実施形態〕
上記第１実施形態においては、画像記録装置１０２のパネル部１０４の１段目に”ビンフル”と表示を行い、２段目に用紙取り除きのビンをトグル又はスクロール表示（スライド表示）するようにしたが、実際に満載になっているビンとユーザに取り除いて欲しいビンを表示できればその他どのようなの文字列であっても、ビンの絵を表示する等の他の表示方法であってもかまわない。
【０３１１】
また、実際に満載になっているビンと、ユーザに取り除いて欲しいビンの両方を別々に表示するように構成してもよい。
【０３１２】
さらに、実際に満載になっているビンのみ表示、ユーザに取り除いて欲しいビンのみ表示、実際に満載になっているビンおよびユーザに取り除いて欲しいビンの両方表示のいずれかを画像記録装置１０２のパネル部１０４またはホストコンピュータ１０１から選択可能に構成しても良い。
【０３１３】
また、上記表示については、ホストコンピュータ上の画面表示についても同様であることは言うまでもない。
【０３１４】
以上より、共有用排紙モードと個人用排紙モード等の複数の排紙モードを処理可能な画像記録装置において、満載ビンが発生しても各排紙モードによる排紙を問題なく実行可能な間は満載表示は行わず、満載移行する条件を最低限におさえ積載率をあげるとともに、各排紙モードに応じた最適な満載解除条件をユーザに通知し、ユーザが行うべきオペレーションを分かりやすくすると共に、各排紙モードでの運用において混載、ジョブの順番が狂ってしまう等の問題発生を防ぐことができる。
【０３１５】
以下、図３４に示すメモリマップを参照して本発明に係るデータ処理装置および画像記録装置を適用可能な画像記録システムで読み出し可能なデータ処理プログラムの構成について説明する。
【０３１６】
図３４は、本発明に係るデータ処理装置および画像記録装置を適用可能な画像記録システムで読み出し可能な各種データ処理プログラムを格納する記憶媒体のメモリマップを説明する図である。
【０３１７】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０３１８】
さらに、各種プログラムに従属するデータも上記ディレクトリに管理されている。また、インストールするプログラムやデータが圧縮されている場合に、解凍するプログラム等も記憶される場合もある。
【０３１９】
本実施形態における図１０，図１１、図２０，図２１，図２６，図２７，図２８，図２９，図３０，図３１，図３２，図３３に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０３２０】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０３２１】
この場合、記憶媒体から読み出されたプログラムコード自体が本発明の新規な機能を実現することになり、そのプログラムコードを記憶した記憶媒体は本発明を構成することになる。
【０３２２】
プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ，シリコンディスク等を用いることができる。
【０３２３】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０３２４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０３２５】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０３２６】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０３２７】
【発明の効果】
以上説明したように、本発明によれば、積載手段（部）が満載となった旨を、排紙モードに応じた適切な内容かつ適切なタイミングで通知することができる。
【図面の簡単な説明】
【図１】本発明の第１実施形態を示すデータ処理装置および画像記録装置を適用可能な画像記録システムの構成を説明する図である。
【図２】図１に示した各ホストコンピュータ上のホストアプリケーションによりプリンタの排紙モードの設定を行う画面の一例を示す模式図である。
【図３】図１に示した各ホストコンピュータ上のホストアプリケーションにより印刷時の排紙モードの設定を行う画面の一例を示す模式図である。
【図４】図１に示した各ホストコンピュータ上のホストアプリケーションにより印刷時の排紙モードの設定を行う画面の一例を示す模式図である。
【図５】本発明のデータ処理装置及び画像記録装置を適用可能な画像記録システムのユーザセパレート自動モードで運用中の満載メッセージに関する動作を示す概念図である。
【図６】本発明のデータ処理装置及び画像記録装置を適用可能な画像記録システムのユーザセパレート固定モードで運用中の満載メッセージに関する動作を示す概念図である。
【図７】本発明のデータ処理装置及び画像記録装置を適用可能な画像記録システムのソートモードで運用中の満載メッセージに関する動作を示す概念図である。
【図８】本発明のデータ処理装置及び画像記録装置を適用可能な画像記録システムのスタックモードで運用中の満載メッセージに関する動作を示す概念図である。
【図９】図１に示したホストコンピュータの構成を説明するブロック図である。
【図１０】本発明のデータ処理装置および画像記録装置を適用可能な画像記録システムの第１の処理手順を示すフローチャートである。
【図１１】本発明のデータ処理装置および画像記録装置を適用可能な画像記録システムの第２の処理手順を示すフローチャートである。
【図１２】図１に示した画像記録装置からホストコンピュータに通知される印刷終了通知を示す模式図である。
【図１３】図１に示した画像記録装置を適用可能なレーザビームプリンタの構成を説明するブロック図である。
【図１４】図１３に示したプリンタの構成を説明する断面図である。
【図１５】図１３に示したプリンタの構成を説明するブロック図である。
【図１６】ビデオコントローラ（ＶＣ）とエンジンコントローラ（ＥＣ）との間でやりとりされる信号を説明する図である。
【図１７】ビデオコントローラ（ＶＣ），エンジンコントローラ（ＥＣ）とオプションコントローラ（ＯＣ）との間でやりとりされる信号を説明する図である。
【図１８】図１３に示したビデオコントローラの構成を説明するブロック図である。
【図１９】図１３に示したオプションコントローラ部内に設けられるＲＡＭに確保されるビデオコントローラとの共有メモリの摸式図である。
【図２０】本発明のデータ処理装置および画像記録装置を適用可能な画像記録システムの第３の処理手順を示すフローチャートである。
【図２１】本発明のデータ処理装置および画像記録装置を適用可能な画像記録システムの第４の処理手順を示すフローチャートである。
【図２２】図１３に示した外部機器からオプションコントローラ部及びエンジンコントローラまでのデータフローを示す図である。
【図２３】図１８に示したＲＡＭに格納されるページテーブルの構造を示す図である。
【図２４】図１８に示したＲＡＭに格納されるエンジン状態テーブルの構造を示す図である。
【図２５】図１８に示したＲＡＭに格納されるジョブ制御テーブルの構造を示す図である。
【図２６】本発明のデータ処理装置および画像記録装置を適用可能な画像記録システムの第５の制御処理手順を示すフローチャートである。
【図２７】本発明のデータ処理装置および画像記録装置を適用可能な画像記録システムの第６の制御処理手順を示すフローチャートである。
【図２８】本発明のデータ処理装置および画像記録装置を適用可能な画像記録システムの第７の制御処理手順を示すフローチャートである。
【図２９】本発明のデータ処理装置および画像記録装置を適用可能な画像記録システムの第８の制御処理手順を示すフローチャートである。
【図３０】本発明のデータ処理装置および画像記録装置を適用可能な画像記録システムの第９の制御処理手順を示すフローチャートである。
【図３１】本発明のデータ処理装置および画像記録装置を適用可能な画像記録システムの第１０の制御処理手順を示すフローチャートである。
【図３２】本発明のデータ処理装置および画像記録装置を適用可能な画像記録システムの第１１の制御処理手順を示すフローチャートである。
【図３３】本発明のデータ処理装置および画像記録装置を適用可能な画像記録システムの第１２の制御処理手順を示すフローチャートである。
【図３４】本発明に係るデータ処理装置および画像記録装置を適用可能な画像記録システムで読み出し可能な各種データ処理プログラムを格納する記憶媒体のメモリマップを説明する図である。
【図３５】例えば、ある文書を”人事一課”、”人事二課”、”人事三課”、”総務一課”、”総務二課”、”総務三課”、”管理課”といった各部署に配布する場合の従来のプリンタの利用形態を説明する図である。
【図３６】従来の仕分け方法１ジョブセパレートを説明する概念図である。
【符号の説明】
１０１Ａ〜１０１Ｄ  外部機器（ホストコンピュータ）
１０２  画像記録装置（プリンタ）
１  ＣＰＵ
２  ＲＡＭ
３  ＲＯＭ
４０４  ＲＯＭ
４０７  ＲＡＭ
４０９  ＣＰＵ
４１０  ＥＥＰＲＯＭ
【図１】
0004011804.tif 000002
【図２】
0004011804.tif 000003
【図３】
0004011804.tif 000004
【図４】
0004011804.tif 000005
【図５】
0004011804.tif 000006
【図６】
0004011804.tif 000007
【図７】
0004011804.tif 000008
【図８】
0004011804.tif 000009
【図９】
0004011804.tif 000010
【図１０】
0004011804.tif 000011
【図１１】
0004011804.tif 000012
【図１２】
0004011804.tif 000013
【図１３】
0004011804.tif 000014
【図１４】
0004011804.tif 000015
【図１５】
0004011804.tif 000016
【図１６】
0004011804.tif 000017
【図１７】
0004011804.tif 000018
【図１８】
0004011804.tif 000019
【図１９】
0004011804.tif 000020
【図２０】
0004011804.tif 000021
【図２１】
0004011804.tif 000022
【図２２】
0004011804.tif 000023
【図２３】
0004011804.tif 000024
【図２４】
0004011804.tif 000025
【図２５】
0004011804.tif 000026
【図２６】
0004011804.tif 000027
【図２７】
0004011804.tif 000028
【図２８】
0004011804.tif 000029
【図２９】
0004011804.tif 000030
【図３０】
0004011804.tif 000031
【図３１】
0004011804.tif 000032
【図３３】
0004011804.tif 000033
【図３２】
0004011804.tif 000034
【図３４】
0004011804.tif 000035
【図３５】
0004011804.tif 000036
【図３６】
0004011804.tif 000037